(57)【要約】  本発明は、信号検出方法及び装置を開示した。当該方法は、端末が、第１の伝送点が送信した第２の伝送点のシステム構成情報を受信することと、前記端末が、前記第２の伝送点のシステム構成情報に基づいて、前記第２の伝送点のダウンリンク信号検出を実行することとを含む。本発明の実施例に係る端末は、第１の伝送点から第２の伝送点のシステム構成情報を取得することによって、端末による第２の伝送点の信号検出の複雑さを軽減することができる。
2019523590.tif 000002
【特許請求の範囲】
【請求項１】
信号検出方法であって、
端末が、第１の伝送点（Ｔｒａｎｓｍｉｓｓｉｏｎ  ｐｏｉｎｔ）が送信した第２の伝送点のシステム構成情報を受信することと、
前記端末が、前記第２の伝送点のシステム構成情報に基づいて、前記第２の伝送点のダウンリンク信号検出を実行することとを
含む、前記信号検出方法。
【請求項２】
前記システム構成情報は、
前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含むことを特徴とする
請求項１に記載の方法。
【請求項３】
前記第１の伝送点に対する前記第２の伝送点の時間同期情報は、前記第２の伝送点と前記第１の伝送点とが同期されているか否かを示すための指示情報、及び／或いは、前記第１の伝送点に対する前記第２の伝送点の時間同期オフセット量を、含むことを特徴とする
請求項２に記載の方法。
【請求項４】
前記時間同期情報は、前記第２の伝送点と前記第１の伝送点とが同期されているか否かを示すための指示情報を含み、
前記端末が、前記第２の伝送点のシステム構成情報に基づいて、前記第２の伝送点のダウンリンク信号検出を実行することは、
前記第２の伝送点と前記第１の伝送点とが同期されていると、前記端末が、前記第１の伝送点のダウンリンク定時に基づいて、前記第２の伝送点のダウンリンク信号検出を実行することを含むか、
或いは、
前記端末が、前記第１の伝送点のダウンリンク定時に基づいて、前記第２の伝送点の同期信号の検出ウィンドウを確定することと、前記端末が、前記検出ウィンドウ内で、前記第２の伝送点の同期信号検出を実行して、前記第２の伝送点の同期参照を取得することと、前記端末が、前記第２の伝送点の同期参照に基づいて、前記第２の伝送点のダウンリンク信号検出を実行することとを含むことを特徴とする
請求項３に記載の方法。
【請求項５】
前記時間同期情報は、前記第２の伝送点と前記第１の伝送点とが同期されているか否かを示すための指示情報を含み、
前記端末が、前記第２の伝送点のシステム構成情報に基づいて、前記第２の伝送点のダウンリンク信号検出を実行することは、
前記第２の伝送点と前記第１の伝送点とが同期されていないと、前記端末が、前記第２の伝送点の同期信号を検出して、前記第２の伝送点の同期参照を取得することと、
前記端末が、前記第２の伝送点の同期参照に基づいて、第２の伝送点のダウンリンク信号検出を実行することとを含むことを特徴とする
請求項３又は４に記載の方法。
【請求項６】
前記第１の伝送点に対する前記第２の伝送点の時間同期オフセット量は、前記第１の伝送点に対する前記第２の伝送点の無線フレームオフセット量、前記第１の伝送点に対する前記第２の伝送点のサブフレームオフセット量、前記第１の伝送点に対する前記第２の伝送点の伝送時間間隔オフセット量、及び、前記第１の伝送点に対する前記第２の伝送点の伝送シンボルオフセット量の中の、少なくとも一つを含むことを特徴とする
請求項３に記載の方法。
【請求項７】
前記時間同期情報は、前記第１の伝送点に対する前記第２の伝送点の時間同期オフセット量を含み、
前記端末が、前記第２の伝送点のシステム構成情報に基づいて、前記第２の伝送点のダウンリンク信号検出を実行することは、
前記端末が、前記時間同期オフセット量、及び、予め確定した前記第２の伝送点の同期信号の時間−周波数リソースに基づいて、前記第２の伝送点の同期信号の検出ウィンドウを確定することと、
前記端末が、前記検出ウィンドウ内で、第２の伝送点の同期信号検出を実行して、前記第２の伝送点の同期参照を取得することと、
前記端末が、前記第２の伝送点の同期参照に基づいて、前記第２の伝送点のダウンリンク信号検出を実行することとを含むことを特徴とする
請求項３又は６に記載の方法。
【請求項８】
前記第２の伝送点の同期信号構成情報は、前記同期信号のリソース位置情報、及び／或いは、前記同期信号に付加されているシーケンス情報を含むことを特徴とする
請求項２に記載の方法。
【請求項９】
前記端末が、前記第２の伝送点のシステム構成情報に基づいて、前記第２の伝送点のダウンリンク信号検出を実行することは、
前記端末が、前記同期信号のリソース位置情報、及び／或いは、前記同期信号に付加されているシーケンス情報に基づいて、前記第２の伝送点の同期信号の時間−周波数リソース位置、及び／或いは、シーケンス情報を確定することと、
前記端末が、前記時間−周波数リソース位置、及び／或いは、シーケンス情報に基づいて、前記第２の伝送点の同期信号を検出して、前記第２の伝送点の同期参照を取得することと、
前記端末が、前記第２の伝送点の同期参照に基づいて、前記第２の伝送点のダウンリンク信号検出を実行することとを含むことを特徴とする
請求項８に記載の方法。
【請求項１０】
前記第２の伝送点の基準信号構成情報は、
前記基準信号の時間−周波数リソース構成情報、前記基準信号のシーケンス情報、前記基準信号の送信電力構成情報、及び、前記基準信号のポート構成情報の中の、少なくとも一つを含むことを特徴とする
請求項２に記載の方法。
【請求項１１】
前記第２の伝送点のシステム構成情報は、前記第２の伝送点の基準信号構成情報を含み、
前記端末が、前記第２の伝送点のシステム構成情報に基づいて、前記第２の伝送点のダウンリンク信号検出を実行することは、
前記端末が、前記第２の伝送点の基準信号構成情報に基づいて、前記第２の伝送点の基準信号の構成を確定することと、
前記端末が、前記第２の伝送点の基準信号の構成に基づいて、前記第２の伝送点のダウンリンク無線リソース管理（ＲＲＭ）測定を実行することとを含み、
前記方法は、
前記端末がＲＲＭ測定結果を生成することと、
前記端末が、前記ＲＲＭ測定結果を、前記第１の伝送点へ送信すること、或いは、前記端末が、前記ＲＲＭ測定結果に基づいて、前記第２の伝送点が検出されたが否かを確定することとをさらに含むことを特徴とする
請求項２又は１０に記載の方法。
【請求項１２】
前記システム構成情報は、前記第２の伝送点の動作周波数ポイント情報を含み、
前記端末が、前記第２の伝送点のシステム構成情報に基づいて、前記第２の伝送点のダウンリンク信号検出を実行することは、
前記端末が、前記第２の伝送点の動作周波数ポイント情報に基づいて、前記第２の伝送点の動作周波数ポイントを確定することと、
前記端末が、前記動作周波数ポイントが位置する帯域幅内で、ダウンリンク信号検出を実行することとを含むことを特徴とする
請求項２に記載の方法。
【請求項１３】
前記第２の伝送点の信号のプレフィックス情報は、プレフィックスタイプ情報、及び／或いは、プレフィックス長さ情報を含むことを特徴とする。
請求項２に記載の方法。
【請求項１４】
前記端末が、前記第２の伝送点のシステム構成情報に基づいて、前記第２の伝送点のダウンリンク信号検出を実行することは、
前記端末が、前記第２の伝送点の信号のプレフィックス情報に基づいて、前記第２の伝送点のダウンリンク信号のプレフィックスタイプ、及び／或いは、プレフィックス長さを確定することと、
前記端末が、前記第２の伝送点のダウンリンク信号検出を実行することとを含み、
ここで、前記第２の伝送点のダウンリンク信号は、前記プレフィックスタイプ、及び／或いは、プレフィックス長さに対応されるプレフィックスが付加されているダウンリンク信号であることを特徴とする
請求項１３に記載の方法。
【請求項１５】
前記システム構成情報は、前記第２の伝送点のサブキャリア間隔情報を含み、
前記端末が、前記第２の伝送点のシステム構成情報に基づいて、前記第２の伝送点のダウンリンク信号検出を実行することは、
前記端末が、前記サブキャリア間隔情報に基づいて、前記第２の伝送点の目標帯域幅内のサブキャリア数量を確定することと、
前記端末が、前記目標帯域幅内のサブキャリア数量に基づいて、前記第２の伝送点のダウンリンク信号検出を実行することとを含むことを特徴とする
請求項２に記載の方法。
【請求項１６】
前記第２の伝送点のサブフレーム構造構成情報は、前記サブフレーム中の直交周波数分割多重（ＯＦＤＭ）シンボルの数量、前記サブフレーム中の保護間隔ＧＰの数量、前記サブフレーム中のＧＰの位置、及び、前記サブフレーム中の各タイプのＯＦＤＭシンボルの数量の中の、少なくとも一つを含むことを特徴とする
請求項２に記載の方法。
【請求項１７】
前記システム構成情報は、前記第２の伝送点のサブフレーム構造構成情報を含み、
前記端末が、前記第２の伝送点のシステム構成情報に基づいて、前記第２の伝送点のダウンリンク信号検出を実行することは、
前記端末が、前記第２の伝送点のサブフレーム構造構成情報に基づいて、前記第２の伝送点のサブフレーム構造を確定することと、
前記端末が、前記サブフレーム構造に基づいて、前記第２の伝送点のダウンリンク信号検出を実行することとを含むことを特徴とする
請求項２又は１６に記載の方法。
【請求項１８】
前記システム構成情報は、前記第２の伝送点のシステム帯域幅情報を含み、
前記端末が、前記第２の伝送点のシステム構成情報に基づいて、前記第２の伝送点のダウンリンク信号検出を実行することは、
前記端末が、前記第２の伝送点のシステム帯域幅情報に基づいて、前記第２の伝送点のシステム帯域幅を確定することと、
前記端末が、前記第２の伝送点のシステム帯域幅内で、前記第２の伝送点のダウンリンク信号検出を実行することとを含むことを特徴とする
請求項２に記載の方法。
【請求項１９】
前記システム構成情報は、前記第２の伝送点のアップリンクとダウンリンクとのタイムスロット構成情報を含み、
前記端末が、前記第２の伝送点のシステム構成情報に基づいて、前記第２の伝送点のダウンリンク信号検出を実行することは、
前記端末が、前記第２の伝送点のアップリンクとダウンリンクとのタイムスロット構成情報に基づいて、前記第２の伝送点における、前記ダウンリンク信号を伝送する時間−周波数リソース位置を、確定することと、
前記端末が、前記時間−周波数リソース位置上で、前記第２の伝送点のダウンリンク信号検出を実行することとを含むことを特徴とする
請求項２に記載の方法。
【請求項２０】
前記システム構成情報は、前記第２の伝送点のアンテナ構成情報を含み、
前記端末が、前記第２の伝送点のシステム構成情報に基づいて、前記第２の伝送点のダウンリンク信号検出を実行することは、
前記端末が、前記アンテナ構成情報に基づいて、前記第２の伝送点がダウンリンク信号を送信する際に利用したアンテナポートを確定することと、
前記端末が、前記アンテナポートに基づいて、前記第２の伝送点のダウンリンク信号検出を実行することとを含むことを特徴とする
請求項２に記載の方法。
【請求項２１】
前記システム構成情報は、前記第２の伝送点の識別子を含み、
前記端末が、前記第２の伝送点のシステム構成情報に基づいて、前記第２の伝送点のダウンリンク信号検出を実行することは、
前記端末が、前記第２の伝送点の識別子に基づいて、前記第２の伝送点のダウンリンク信号の伝送フォーマット、及び／或いは、シーケンスを確定することと、
前記端末が、前記ダウンリンク信号の伝送フォーマット、及び／或いは、シーケンスに基づいて、前記第２の伝送点のダウンリンク信号検出を実行することとを含むことを特徴とする
請求項２に記載の方法。
【請求項２２】
前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアであることを特徴とする
請求項１〜２１のいずれか１項に記載の方法。
【請求項２３】
前記端末が、前記第２の伝送点のダウンリンク信号の測定結果或いは検出結果を生成することと、
前記端末が、前記測定結果或いは検出結果を、前記第１の伝送点へ送信することとをさらに含むことを特徴とする
請求項１〜２２のいずれか１項に記載の方法。
【請求項２４】
前記端末が、前記第２の伝送点のシステム構成情報に基づいて、アップリンク信号を、前記第２の伝送点へ送信することをさらに含むことを特徴とする
請求項１〜２３のいずれか１項に記載の方法。
【請求項２５】
信号検出方法であって、
第１の伝送点（Ｔｒａｎｓｍｉｓｓｉｏｎ  ｐｏｉｎｔ）が第２の伝送点のシステム構成情報を端末に送信することによって、端末が前記第２の伝送点のシステム構成情報に基づいて前記第２の伝送点のダウンリンク信号検出を実行するようにすることを
含む、前記信号検出方法。
【請求項２６】
前記システム構成情報は、
前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含むことを特徴とする
請求項２５に記載の方法。
【請求項２７】
前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアであることを特徴とする
請求項２５又は２６に記載の方法。
【請求項２８】
前記第１の伝送点が、前記端末が送信した前記第２の伝送点のダウンリンク信号の測定結果或いは検出結果を受信することをさらに含むことを特徴とする
請求項２６〜２７のいずれか１項に記載の方法。
【請求項２９】
信号検出装置であって、
第１の伝送点（Ｔｒａｎｓｍｉｓｓｉｏｎ  ｐｏｉｎｔ）が送信した第２の伝送点のシステム構成情報を受信するための受信モジュールと、
前記受信モジュールが受信した前記第２の伝送点のシステム構成情報に基づいて、前記第２の伝送点のダウンリンク信号検出を実行するための処理モジュールとを
含む、前記信号検出装置。
【請求項３０】
前記システム構成情報は、
前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含むことを特徴とする
請求項２９に記載の装置。
【請求項３１】
前記第１の伝送点に対する前記第２の伝送点の時間同期情報は、前記第２の伝送点と前記第１の伝送点とが同期されているか否かを示すための指示情報、及び／或いは、前記第１の伝送点に対する前記第２の伝送点の時間同期オフセット量を、含むことを特徴とする
請求項３０に記載の装置。
【請求項３２】
前記時間同期情報は、前記第２の伝送点と前記第１の伝送点とが同期されているか否かを示すための指示情報を含み、
前記処理モジュールは、具体的に、
前記第２の伝送点と前記第１の伝送点とが同期されていると、前記第１の伝送点のダウンリンク定時に基づいて、前記第２の伝送点のダウンリンク信号検出を実行するか、
或いは、
前記第１の伝送点のダウンリンク定時に基づいて、前記第２の伝送点の同期信号の検出ウィンドウを確定し、前記検出ウィンドウ内で、前記第２の伝送点の同期信号検出を実行して、前記第２の伝送点の同期参照を取得し、前記第２の伝送点の同期参照に基づいて、前記第２の伝送点のダウンリンク信号検出を実行することを特徴とする
請求項３１に記載の装置。
【請求項３３】
前記時間同期情報は、前記第２の伝送点と前記第１の伝送点とが同期されているか否かを示すための指示情報を含み、
前記処理モジュールは、また、具体的に、
前記第２の伝送点と前記第１の伝送点とが同期されていないと、前記第２の伝送点の同期信号を検出して、前記第２の伝送点の同期参照を取得し、
前記第２の伝送点の同期参照に基づいて、第２の伝送点のダウンリンク信号検出を実行することを特徴とする
請求項３１又は３２に記載の装置。
【請求項３４】
前記第１の伝送点に対する前記第２の伝送点の時間同期オフセット量は、前記第１の伝送点に対する前記第２の伝送点の無線フレームオフセット量、前記第１の伝送点に対する前記第２の伝送点のサブフレームオフセット量、前記第１の伝送点に対する前記第２の伝送点の伝送時間間隔オフセット量、及び、前記第１の伝送点に対する前記第２の伝送点の伝送シンボルオフセット量の中の、少なくとも一つを含むことを特徴とする
請求項３１に記載の装置。
【請求項３５】
前記時間同期情報は、前記第１の伝送点に対する前記第２の伝送点の時間同期オフセット量を含み、
前記処理モジュールは、具体的に、
前記時間同期オフセット量、及び、予め確定した前記第２の伝送点の同期信号の時間−周波数リソースに基づいて、前記第２の伝送点の同期信号の検出ウィンドウを確定し、
前記検出ウィンドウ内で、第２の伝送点の同期信号検出を実行して、前記第２の伝送点の同期参照を取得し、
前記第２の伝送点の同期参照に基づいて、前記第２の伝送点のダウンリンク信号検出を実行することを特徴とする
請求項３１又は３４に記載の装置。
【請求項３６】
前記第２の伝送点の同期信号構成情報は、前記同期信号のリソース位置情報、及び／或いは、前記同期信号に付加されているシーケンス情報を含むことを特徴とする
請求項３０に記載の装置。
【請求項３７】
前記処理モジュールは、具体的に、
前記同期信号のリソース位置情報、及び／或いは、前記同期信号に付加されているシーケンス情報に基づいて、前記第２の伝送点の同期信号の時間−周波数リソース位置、及び／或いは、シーケンス情報を確定し、
前記時間−周波数リソース位置、及び／或いは、シーケンス情報に基づいて、前記第２の伝送点の同期信号を検出して、前記第２の伝送点の同期参照を取得し、
前記第２の伝送点の同期参照に基づいて、前記第２の伝送点のダウンリンク信号検出を実行することを特徴とする
請求項３６に記載の装置。
【請求項３８】
前記第２の伝送点の基準信号構成情報は、
前記基準信号の時間−周波数リソース構成情報、前記基準信号のシーケンス情報、前記基準信号の送信電力構成情報、及び、前記基準信号のポート構成情報の中の、少なくとも一つを含むことを特徴とする
請求項３０に記載の装置。
【請求項３９】
前記第２の伝送点のシステム構成情報は、前記第２の伝送点の基準信号構成情報を含み、
前記処理モジュールは、具体的に、
前記第２の伝送点の基準信号構成情報に基づいて、前記第２の伝送点の基準信号の構成を確定し、
前記第２の伝送点の基準信号の構成に基づいて、前記第２の伝送点のダウンリンク無線リソース管理（ＲＲＭ）測定を実行し、
前記装置は、
ＲＲＭ測定結果を生成するための第１の生成モジュールと、
前記ＲＲＭ測定結果を前記第１の伝送点へ送信するための第１の送信モジュール、
或いは、
前記ＲＲＭ測定結果に基づいて、前記第２の伝送点が検出されたが否かを確定するための確定モジュールとをさらに含むことを特徴とする
請求項３０又は３８に記載の装置。
【請求項４０】
前記システム構成情報は、前記第２の伝送点の動作周波数ポイント情報を含み、
前記処理モジュールは、具体的に、
前記第２の伝送点の動作周波数ポイント情報に基づいて、前記第２の伝送点の動作周波数ポイントを確定し、
前記動作周波数ポイントが位置する帯域幅内で、ダウンリンク信号検出を実行することを特徴とする
請求項３０に記載の装置。
【請求項４１】
前記第２の伝送点の信号のプレフィックス情報は、プレフィックスタイプ情報、及び／或いは、プレフィックス長さ情報を含むことを特徴とする
請求項３０に記載の装置。
【請求項４２】
前記処理モジュールは、具体的に、
前記第２の伝送点の信号のプレフィックス情報に基づいて、前記第２の伝送点のダウンリンク信号のプレフィックスタイプ、及び／或いは、プレフィックス長さを確定し、
前記第２の伝送点のダウンリンク信号検出を実行し、
ここで、前記第２の伝送点のダウンリンク信号は、前記プレフィックスタイプ、及び／或いは、プレフィックス長さに対応されるプレフィックスが付加されているダウンリンク信号であることを特徴とする
請求項４１に記載の装置。
【請求項４３】
前記システム構成情報は、前記第２の伝送点のサブキャリア間隔情報を含み、
前記処理モジュールは、具体的に、
前記サブキャリア間隔情報に基づいて、前記第２の伝送点の目標帯域幅内のサブキャリア数量を確定し、
前記目標帯域幅内のサブキャリア数量に基づいて、前記第２の伝送点のダウンリンク信号検出を実行することを特徴とする
請求項３０に記載の装置。
【請求項４４】
前記第２の伝送点のサブフレーム構造構成情報は、前記サブフレーム中の直交周波数分割多重（ＯＦＤＭ）シンボルの数量、前記サブフレーム中の保護間隔ＧＰの数量、前記サブフレーム中のＧＰの位置、及び、前記サブフレーム中の互いに異なるタイプのＯＦＤＭシンボルの数量中の、少なくとも一つを含むことを特徴とする
請求項３０に記載の装置。
【請求項４５】
前記システム構成情報は、前記第２の伝送点のサブフレーム構造構成情報を含み、
前記処理モジュールは、
前記第２の伝送点のサブフレーム構造構成情報に基づいて、前記第２の伝送点のサブフレーム構造を確定し、
前記サブフレーム構造に基づいて、前記第２の伝送点のダウンリンク信号検出を実行することを特徴とする
請求項３０又は４４に記載の装置。
【請求項４６】
前記システム構成情報は、前記第２の伝送点のシステム帯域幅情報を含み、
前記処理モジュールは、
前記第２の伝送点のシステム帯域幅情報に基づいて、前記第２の伝送点のシステム帯域幅を確定し、
前記第２の伝送点のシステム帯域幅内で、前記第２の伝送点のダウンリンク信号検出を実行することを特徴とする
請求項３０に記載の装置。
【請求項４７】
前記システム構成情報は、前記第２の伝送点のアップリンクとダウンリンクとのタイムスロット構成情報を含み、
前記処理モジュールは、
前記第２の伝送点のアップリンクとダウンリンクとのタイムスロット構成情報に基づいて、前記第２の伝送点における、前記ダウンリンク信号を伝送する時間−周波数リソース位置を、確定し、
前記時間−周波数リソース位置上で、前記第２の伝送点のダウンリンク信号検出を実行することを特徴とする
請求項３０に記載の装置。
【請求項４８】
前記システム構成情報は、前記第２の伝送点のアンテナ構成情報を含み、
前記処理モジュールは、
前記アンテナ構成情報に基づいて、前記第２の伝送点がダウンリンク信号を送信する際に利用したアンテナポートを確定し、
前記アンテナポートに基づいて、前記第２の伝送点のダウンリンク信号検出を実行することを特徴とする
請求項３０に記載の装置。
【請求項４９】
前記システム構成情報は、前記第２の伝送点の識別子を含み、
前記処理モジュールは、
前記第２の伝送点の識別子に基づいて、前記第２の伝送点のダウンリンク信号の伝送フォーマット、及び／或いは、シーケンスを確定し、
前記ダウンリンク信号の伝送フォーマット、及び／或いは、シーケンスに基づいて、前記第２の伝送点のダウンリンク信号検出を実行することを特徴とする
請求項３０に記載の装置。
【請求項５０】
前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアであることを特徴とする
請求項２９〜４９のいずれか１項に記載の装置。
【請求項５１】
前記第２の伝送点のダウンリンク信号の測定結果或いは検出結果を生成するための第２の生成モジュールと、
前記測定結果或いは検出結果を前記第１の伝送点へ送信するための第２の送信モジュールとをさらに含むことを特徴とする
請求項２９〜５０のいずれか１項に記載の装置。
【請求項５２】
前記第２の伝送点のシステム構成情報に基づいて、アップリンク信号を、前記第２の伝送点へ送信するための第３の送信モジュールをさらに含むことを特徴とする
請求項２９〜５１のいずれか１項に記載の装置。
【請求項５３】
信号検出装置であって、
第２の伝送点（Ｔｒａｎｓｍｉｓｓｉｏｎ  ｐｏｉｎｔ）のシステム構成情報を取得するための取得モジュールと、
前記第２の伝送点のシステム構成情報を端末へ送信することによって、端末が前記第２の伝送点のシステム構成情報に基づいて前記第２の伝送点のダウンリンク信号検出を実行するようにするための送信モジュールとを
含む、前記信号検出装置。
【請求項５４】
前記システム構成情報は、
前記第２の伝送点の動作周波数ポイント情報、前記第２の伝送点のシステム帯域幅情報、第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含むことを特徴とする
請求項５３に記載の装置。
【請求項５５】
前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアであることを特徴とする
請求項５３又は５４に記載の装置。
【請求項５６】
前記端末が送信した前記第２の伝送点のダウンリンク信号の測定結果或いは検出結果を受信するための受信モジュールをさらに含むことを特徴とする
請求項５３〜５５のいずれか１項に記載の装置。
【発明の詳細な説明】
【技術分野】
【０００１】
本発明は、通信分野に関し、特に、信号検出方法及び装置に関する。
【背景技術】
【０００２】
現在の第５世代の移動通信技術（５Ｇ：５ｔｈ−Ｇｅｎｅｒａｔｉｏｎ）の研究進展によれば、端末は互いに異なる周波数帯域で５Ｇネットワークおよび長期エボリューション（ＬＴＥ：Ｌｏｎｇ Ｔｅｒｍ Ｅｖｏｌｕｔｉｏｎ）ネットワークにそれぞれアクセスする可能がある。ＬＴＥネットワークにおいて、端末は、既存のＬＴＥシステムにおけるセルアクセスメカニズムに従ってセルへのアクセスを行うことになる。
【０００３】
既にＬＴＥネットワークにアクセスしている端末の場合に、当該端末がさらに５Ｇネットワークにアクセスしようとすると、５Ｇの周波数ポイント上で再度セルへのアクセスする必要がある。この時、依然としてＬＴＥ中のセルのアクセスメカニズムを使用して、端末が５Ｇネットワーク中のセルにアクセスしようとすると、より高い信号検出の複雑さが必要となることがある。
【発明の概要】
【０００４】
本発明の実施例は、端末のダウンリンク信号検出プロセスの複雑さを単純化するための、信号検出方法及び装置を提供する。
【０００５】
第１の態様によると、信号検出方法を提供する。当該方法は、端末が、第１の伝送点が送信した第２の伝送点のシステム構成情報を受信することと、前記端末が、前記第２の伝送点のシステム構成情報に基づいて、前記第２の伝送点のダウンリンク信号検出を実行することとを含む。
【０００６】
本発明の実施例に係る端末は、第１の伝送点から第２の伝送点のシステム構成情報を取得することによって、端末による第２の伝送点の信号検出の複雑さを軽減することができる。
【０００７】
第１の態様に結合して、第１の態様の一実現方法において、前記システム構成情報は、前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含む。
【０００８】
本発明の実施例において、端末は第１の伝送点を通じて第２の伝送点のシステム構成情報を取得することができて、端末による第２の伝送点のダウンリンク信号検出の複雑さをある程度軽減した。
【０００９】
第１の態様又はその上記の実現方法中のいずれか一つに結合して、第１の態様のもう一実現方法において、前記第１の伝送点に対する前記第２の伝送点の時間同期情報は、前記第２の伝送点と前記第１の伝送点とが同期されているか否かを示すための指示情報、及び／或いは、前記第１の伝送点に対する前記第２の伝送点の時間同期オフセット量を、含む。
【００１０】
本発明の実施例において、端末は第１の伝送点を通じて第１の伝送点に対する第２の伝送点の時間同期情報を取得することができて、端末による第２の伝送点のダウンリンク信号検出の複雑さをある程度軽減した。
【００１１】
第１の態様又はその上記の実現方法中のいずれか一つに結合して、第１の態様のもう一実現方法において、前記時間同期情報は、前記第２の伝送点と前記第１の伝送点とが同期されているか否かを示すための指示情報を含み、前記端末が、前記第２の伝送点のシステム構成情報に基づいて、前記第２の伝送点のダウンリンク信号検出を実行することは、前記第２の伝送点と前記第１の伝送点とが同期されていると、前記端末が、前記第１の伝送点のダウンリンク定時に基づいて、前記第２の伝送点のダウンリンク信号検出を実行することを含むか、或いは、前記端末が、前記第１の伝送点のダウンリンク定時に基づいて、前記第２の伝送点の同期信号の検出ウィンドウを確定することと、前記端末が、前記検出ウィンドウ内で、前記第２の伝送点の同期信号検出を実行して、前記第２の伝送点の同期参照を取得することと、前記端末が、前記第２の伝送点の同期参照に基づいて、前記第２の伝送点のダウンリンク信号検出を実行することとを含む。
【００１２】
本発明の実施例において、端末は、第１の伝送点に対する第２の伝送点の時間同期情報によって、端末が第１の伝送点のダウンリンク定時を確定して第２の伝送点のダウンリンク信号検出を実行するようにすることができて、端末による第２の伝送点のダウンリンク信号検出の複雑さをある程度軽減した。
【００１３】
第１の態様又はその上記の実現方法中のいずれか一つに結合して、第１の態様のもう一実現方法において、前記時間同期情報は、前記第２の伝送点と前記第１の伝送点とが同期されているか否かを示すための指示情報を含み、前記端末が、前記第２の伝送点のシステム構成情報に基づいて、前記第２の伝送点のダウンリンク信号検出を実行することは、前記第２の伝送点と前記第１の伝送点とが同期されていないと、前記端末が、前記第２の伝送点の同期信号を検出して、前記第２の伝送点の同期参照を取得することと、前記端末が、前記第２の伝送点の同期参照に基づいて、第２の伝送点のダウンリンク信号検出を実行することとを含む。
【００１４】
第１の態様又はその上記の実現方法中のいずれか一つに結合して、第１の態様のもう一実現方法において、前記第１の伝送点に対する前記第２の伝送点の時間同期オフセット量は、前記第１の伝送点に対する前記第２の伝送点の無線フレームオフセット量、前記第１の伝送点に対する前記第２の伝送点のサブフレームオフセット量、前記第１の伝送点に対する前記第２の伝送点の伝送時間間隔オフセット量、及び、前記第１の伝送点に対する前記第２の伝送点の伝送シンボルオフセット量の中の、少なくとも一つを含む。
【００１５】
第１の態様又はその上記の実現方法中のいずれか一つに結合して、第１の態様のもう一実現方法において、前記時間同期情報は、前記第１の伝送点に対する前記第２の伝送点の時間同期オフセット量を含み、前記端末が、前記第２の伝送点のシステム構成情報に基づいて、前記第２の伝送点のダウンリンク信号検出を実行することは、前記端末が、前記時間同期オフセット量、及び、予め確定した前記第２の伝送点の同期信号の時間−周波数リソースに基づいて、前記第２の伝送点の同期信号の検出ウィンドウを確定することと、前記端末が、前記検出ウィンドウ内で、第２の伝送点の同期信号検出を実行して、前記第２の伝送点の同期参照を取得することと、前記端末が、前記第２の伝送点の同期参照に基づいて、前記第２の伝送点のダウンリンク信号検出を実行することとを含む。
【００１６】
本発明の実施例において、端末は、第１の伝送点に対する第２の伝送点の時間同期オフセット量によって、前記第２の伝送点の同期信号の検出ウィンドウを確定できて、端末による第２の伝送点のダウンリンク信号検出の複雑さをある程度軽減した。
【００１７】
第１の態様又はその上記の実現方法中のいずれか一つに結合して、第１の態様のもう一実現方法において、前記第２の伝送点の同期信号構成情報は、前記同期信号のリソース位置情報、及び／或いは、前記同期信号に付加されているシーケンス情報を含む。
【００１８】
本発明の実施例に係る端末は、第１の伝送点から第２の伝送点の同期信号構成情報を取得することによって、端末による第２の伝送点の信号検出の複雑さを軽減することができる。
【００１９】
第１の態様又はその上記の実現方法中のいずれか一つに結合して、第１の態様のもう一実現方法において、前記端末が、前記第２の伝送点のシステム構成情報に基づいて、前記第２の伝送点のダウンリンク信号検出を実行することは、前記端末が、前記同期信号のリソース位置情報、及び／或いは、前記同期信号に付加されているシーケンス情報に基づいて、前記第２の伝送点の同期信号の時間−周波数リソース位置、及び／或いは、シーケンス情報を確定することと、前記端末が、前記時間−周波数リソース位置、及び／或いは、シーケンス情報に基づいて、前記第２の伝送点の同期信号を検出して、前記第２の伝送点の同期参照を取得することと、前記端末が、前記第２の伝送点の同期参照に基づいて、前記第２の伝送点のダウンリンク信号検出を実行することとを含む。
【００２０】
第１の態様又はその上記の実現方法中のいずれか一つに結合して、第１の態様のもう一実現方法において、前記第２の伝送点の基準信号構成情報は、前記基準信号の時間−周波数リソース構成情報、前記基準信号のシーケンス情報、前記基準信号の送信電力構成情報、及び、前記基準信号のポート構成情報の中の、少なくとも一つを含む。
【００２１】
本発明の実施例に係る端末は、第１の伝送点から第２の伝送点の基準信号構成情報を取得することによって、端末による第２の伝送点の信号検出の複雑さを軽減することができる。
【００２２】
第１の態様又はその上記の実現方法中のいずれか一つに結合して、第１の態様のもう一実現方法において、前記第２の伝送点のシステム構成情報は、前記第２の伝送点の基準信号構成情報を含み、前記端末が、前記第２の伝送点のシステム構成情報に基づいて、前記第２の伝送点のダウンリンク信号検出を実行することは、前記端末が、前記第２の伝送点の基準信号構成情報に基づいて、前記第２の伝送点の基準信号の構成を確定することと、前記端末が、前記第２の伝送点の基準信号の構成に基づいて、前記第２の伝送点のダウンリンク無線リソース管理（ＲＲＭ）測定を実行することとを含み、前記方法は、前記端末がＲＲＭ測定結果を生成することと、前記端末が、前記ＲＲＭ測定結果を、前記第１の伝送点へ送信すること、或いは、前記端末が、前記ＲＲＭ測定結果に基づいて、前記第２の伝送点が検出されたが否かを確定することとをさらに含む。
【００２３】
第１の態様又はその上記の実現方法中のいずれか一つに結合して、第１の態様のもう一実現方法において、前記システム構成情報は、前記第２の伝送点の動作周波数ポイント情報を含み、前記端末が、前記第２の伝送点のシステム構成情報に基づいて、前記第２の伝送点のダウンリンク信号検出を実行することは、前記端末が、前記第２の伝送点の動作周波数ポイント情報に基づいて、前記第２の伝送点の動作周波数ポイントを確定することと、前記端末が、前記動作周波数ポイントが位置する帯域幅内で、ダウンリンク信号検出を実行することとを含む。
【００２４】
第１の態様又はその上記の実現方法中のいずれか一つに結合して、第１の態様のもう一実現方法において、前記第２の伝送点の信号のプレフィックス情報は、プレフィックスタイプ情報、及び／或いは、プレフィックス長さ情報を含む。
【００２５】
本発明の実施例に係る端末は、第１の伝送点から第２の伝送点の信号のプレフィックス情報を取得することによって、端末による第２の伝送点の信号検出の複雑さを軽減することができる。
【００２６】
第１の態様又はその上記の実現方法中のいずれか一つに結合して、第１の態様のもう一実現方法において、前記端末が、前記第２の伝送点のシステム構成情報に基づいて、前記第２の伝送点のダウンリンク信号検出を実行することは、前記端末が、前記第２の伝送点の信号のプレフィックス情報に基づいて、前記第２の伝送点のダウンリンク信号のプレフィックスタイプ、及び／或いは、プレフィックス長さを確定することと、前記端末が、前記第２の伝送点のダウンリンク信号検出を実行することとを含み、ここで、前記第２の伝送点のダウンリンク信号は、前記プレフィックスタイプ、及び／或いは、プレフィックス長さに対応されるプレフィックスが付加されているダウンリンク信号である。
【００２７】
第１の態様又はその上記の実現方法中のいずれか一つに結合して、第１の態様のもう一実現方法において、前記システム構成情報は、前記第２の伝送点のサブキャリア間隔情報を含み、前記端末が、前記第２の伝送点のシステム構成情報に基づいて、前記第２の伝送点のダウンリンク信号検出を実行することは、前記端末が、前記サブキャリア間隔情報に基づいて、前記第２の伝送点の目標帯域幅内のサブキャリア数量を確定することと、前記端末が、前記目標帯域幅内のサブキャリア数量に基づいて、前記第２の伝送点のダウンリンク信号検出を実行することとを含む。
【００２８】
第１の態様又はその上記の実現方法中のいずれか一つに結合して、第１の態様のもう一実現方法において、前記第２の伝送点のサブフレーム構造構成情報は、前記サブフレーム中の直交周波数分割多重（ＯＦＤＭ）シンボルの数量、前記サブフレーム中の保護間隔ＧＰの数量、前記サブフレーム中の保護間隔ＧＰの位置、及び、前記サブフレーム中の互いに異なるタイプのＯＦＤＭシンボルの数量の中の、少なくとも一つを含む。
【００２９】
本発明の実施例に係る端末は、第１の伝送点から第２の伝送点のサブフレーム構造構成情報を取得することによって、端末による第２の伝送点の信号検出の複雑さを軽減することができる。
【００３０】
第１の態様又はその上記の実現方法中のいずれか一つに結合して、第１の態様のもう一実現方法において、前記システム構成情報は、前記第２の伝送点のサブフレーム構造構成情報を含み、前記端末が、前記第２の伝送点のシステム構成情報に基づいて、前記第２の伝送点のダウンリンク信号検出を実行することは、前記端末が、前記第２の伝送点のサブフレーム構造構成情報に基づいて、前記第２の伝送点のサブフレーム構造を確定することと、前記端末が、前記サブフレーム構造に基づいて、前記第２の伝送点のダウンリンク信号検出を実行することとを含む。
【００３１】
第１の態様又はその上記の実現方法中のいずれか一つに結合して、第１の態様のもう一実現方法において、前記システム構成情報は、前記第２の伝送点のシステム帯域幅情報を含み、前記端末が、前記第２の伝送点のシステム構成情報に基づいて、前記第２の伝送点のダウンリンク信号検出を実行することは、前記端末が、前記第２の伝送点のシステム帯域幅情報に基づいて、前記第２の伝送点のシステム帯域幅を確定することと、前記端末が、前記第２の伝送点のシステム帯域幅内で、前記第２の伝送点のダウンリンク信号検出を実行することとを含む。
【００３２】
第１の態様又はその上記の実現方法中のいずれか一つに結合して、第１の態様のもう一実現方法において、前記システム構成情報は、前記第２の伝送点のアップリンクとダウンリンクとのタイムスロット構成情報を含み、前記端末が、前記第２の伝送点のシステム構成情報に基づいて、前記第２の伝送点のダウンリンク信号検出を実行することは、前記端末が、前記第２の伝送点のアップリンクとダウンリンクとのタイムスロット構成情報に基づいて、前記第２の伝送点における、前記ダウンリンク信号を伝送する時間−周波数リソース位置を、確定することと、前記端末が、前記時間−周波数リソース位置上で、前記第２の伝送点のダウンリンク信号検出を実行することとを含む。
【００３３】
第１の態様又はその上記の実現方法中のいずれか一つに結合して、第１の態様のもう一実現方法において、前記システム構成情報は、前記第２の伝送点のアンテナ構成情報を含み、前記端末が、前記第２の伝送点のシステム構成情報に基づいて、前記第２の伝送点のダウンリンク信号検出を実行することは、前記端末が、前記アンテナ構成情報に基づいて、前記第２の伝送点がダウンリンク信号を送信する際に利用したアンテナポートを確定することと、前記端末が、前記アンテナポートに基づいて、前記第２の伝送点のダウンリンク信号検出を実行することとを含む。
【００３４】
第１の態様又はその上記の実現方法中のいずれか一つに結合して、第１の態様のもう一実現方法において、前記システム構成情報は、前記第２の伝送点の識別子を含み、前記端末が、前記第２の伝送点のシステム構成情報に基づいて、前記第２の伝送点のダウンリンク信号検出を実行することは、前記端末が、前記第２の伝送点の識別子に基づいて、前記第２の伝送点のダウンリンク信号の伝送フォーマット、及び／或いは、シーケンスを確定することと、前記端末が、前記ダウンリンク信号の伝送フォーマット、及び／或いは、シーケンスに基づいて、前記第２の伝送点のダウンリンク信号検出を実行することとを含む。
【００３５】
第１の態様又はその上記の実現方法中のいずれか一つに結合して、第１の態様のもう一実現方法において、前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアである。
【００３６】
第１の態様又はその上記の実現方法中のいずれか一つに結合して、第１の態様のもう一実現方法において、前記方法は、前記端末が、前記第２の伝送点のダウンリンク信号の測定結果或いは検出結果を生成することと、前記端末が、前記測定結果或いは検出結果を、前記第１の伝送点へ送信することとをさらに含む。
【００３７】
第１の態様又はその上記の実現方法中のいずれか一つに結合して、第１の態様のもう一実現方法において、前記方法は、前記端末が、前記第２の伝送点のシステム構成情報に基づいて、アップリンク信号を、前記第２の伝送点へ送信することをさらに含む。
【００３８】
第２の態様によると、本発明信号検出方法を提供する。当該方法は、第１の伝送点が第２の伝送点のシステム構成情報を端末に送信することによって、端末が前記第２の伝送点のシステム構成情報に基づいて前記第２の伝送点のダウンリンク信号検出を実行するようにすることを含む。
【００３９】
第２の態様に結合して、第２の態様の一実現方法において、前記システム構成情報は、前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含む。
【００４０】
本発明の実施例に係る端末は、第１の伝送点から第２の伝送点のシステム構成情報を取得することによって、端末による第２の伝送点の信号検出の複雑さを軽減することができる。
【００４１】
第２の態様又はその上記の実現方法中のいずれか一つに結合して、第２の態様のもう一実現方法において、前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアである。
【００４２】
第２の態様又はその上記の実現方法中のいずれか一つに結合して、第２の態様のもう一実現方法において、前記方法は、前記第１の伝送点が、前記端末が送信した前記第２の伝送点のダウンリンク信号の測定結果或いは検出結果を受信することをさらに含む。
【００４３】
第３の態様によると、信号検出装置を提供する。前記装置は、第１の態様中の方法を実行するためのモジュールを含む。
【００４４】
第４の態様によると、信号検出装置を提供する。前記装置は、第２の態様中の方法を実行するためのモジュールを含む。
【００４５】
第５の態様によると、信号検出装置を提供する。前記装置は、メモリ、プロセッサ、入出力インタフェース、通信インタフェース、及び、バスシステムを含む。その中、メモリ、プロセッサ、入出力インタフェース、及び、通信インタフェースは、バスシステムを介して、接続される。当該メモリは、命令を記憶するために利用され、当該プロセッサは、当該メモリに記憶されている命令を実行するために利用される。前記プロセッサは、前記命令が実行される際に、前記通信インタフェースを介して第１の態様の方法を実行し、また、入出力インタフェースが、入力されるデータおよび情報を受信し、操作結果などのデータを出力するように、制御する。
【００４６】
第６の態様によると、信号検出装置を提供する。前記装置は、メモリ、プロセッサ、入出力インタフェース、通信インタフェース、及び、バスシステムを含む。その中、メモリ、プロセッサ、入出力インタフェース、及び、通信インタフェースは、バスシステムを介して、接続される。当該メモリは、命令を記憶するために利用され、当該プロセッサは、当該メモリに記憶されている命令を実行するために利用される。前記プロセッサは、前記命令が実行される際に、前記通信インタフェースを介して第２の態様の方法を実行し、また、入出力インタフェースが、入力されるデータおよび情報を受信し、操作結果などのデータを出力するように、制御する。
【００４７】
第７の態様によると、コンピュータ読み取り可能な記憶媒体を提供する。前記コンピュータ読み取り可能な記憶媒体は、信号検出方法のプログラムコードを記憶するために利用され、前記プログラムコードは、第１の態様中の方法命令を実行するために利用される。
【００４８】
第８の態様によると、コンピュータ読み取り可能な記憶媒体を提供する。前記コンピュータ読み取り可能な記憶媒体は、信号検出方法のプログラムコードを記憶するために利用され、前記プログラムコードは、行第２の態様中の方法命令を実行するために利用される。
【図面の簡単な説明】
【００４９】
【図１】本発明の実施例に係る信号検出方法の例示的なフローチャートである。
【図２】本発明のもう一実施例に係る信号検出方法の例示的なフローチャートである。
【図３】本発明のもう一実施例に係る信号検出方法の例示的なフローチャートである。
【図４】本発明のもう一実施例に係る信号検出方法の例示的なフローチャートである。
【図５】本発明の実施例に係る信号検出装置の例示的なブロック図である。
【図６】本発明のもう一実施例に係る信号検出装置の例示的なブロック図である。
【図７】本発明のもう一実施例に係る信号検出装置の例示的なブロック図である。
【図８】本発明のもう一実施例に係る信号検出装置の例示的なブロック図である。
【発明を実施するための形態】
【００５０】
以下、本発明の実施例の構成をさらに明確に説明するために、実施例または先行技術の説明で必要となる図面を簡単に説明し、ここで、以下に記載されている図面は、単なる本発明の幾つかの実施例に過ぎず、当業者にとって、創造的な労力を払わない前提で、これらの図面に基づいてその他の図面が得られることは、明らかである。
【００５１】
以下、本発明の実施例の図面を結合して、本発明の実施例の技術案を明確的且つ全面的に説明する。当然ながら、説明されている実施例は、本発明の一部の実施例に過ぎず、全ての実施例ではない。当業者によって本発明の実施例に基づいて創造的な労力を払わずに得られる全てのその他の実施例は、本発明の範囲内に属する。
【００５２】
本発明の技術案は、例えば、グローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、シンボル分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域シンボル分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、汎用パケット無線サービス（ＧＰＲＳ：Ｇｅｎｅｒａｌ  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、及び、５Ｇ新たなエアインタフェース（ＮＲ：Ｎｅｗ  Ｒａｄｉｏ）などのさまざまな通信システムに応用できることを、理解すべきである。
【００５３】
なお、端末（Ｔｅｒｍｉｎａｌ）は、端末設備又はユーザ設備（ＵＥ：Ｕｓｅｒ  Ｅｑｕｉｐｍｅｎｔ）に称されても良く、また、移動端末（Ｍｏｂｉｌｅ Ｔｅｒｍｉｎａｌ）又は移動ユーザ設備などに称されても良く、無線アクセスネットワーク（例えば、ＲＡＮ：Ｒａｄｉｏ  Ａｃｃｅｓｓ  Ｎｅｔｗｏｒｋ）を介して、一つ又は複数のコアネットワークと通信を行うことができる。ユーザ設備は、携帯電話（又は「セルラー電話」とも称する）、移動端末を有するコンピュータなどの移動端末であっても良く、例えば、ポータブル型、コンパクト型、ハンドヘルド型、コンピュータ内蔵型又は車載の移動デバイスであってもよく、これら移動デバイスは、無線アクセスネットワークと、言語及び／或いはデータを交換することができることを、理解すべきである。
【００５４】
本発明における伝送点（ＴＰ：Ｔｒａｎｓｍｉｓｓｉｏｎ  ｐｏｉｎｔ）は、送受信ノード（ＴＲＰ：Ｔｒａｎｓｍｉｓｓｉｏｎ  ａｎｄ  Ｒｅｃｅｐｔｉｏｎ  Ｐｏｉｎｔ）と称されても良く、セル、キャリア、ラジオ・リモート・ヘッド（ＲＲＨ：Ｒａｄｉｏ  Ｒｅｍｏｔｅ  Ｈｅａｄ）、アンテナアレイによって形成された一定の範囲をカバレッジするビーム、リレーノード（Ｒｅｌａｙ  Ｎｏｄｅ）、または他のネットワークノード（例えば、ホーム基地局）などを示してもよい。
【００５５】
図１は、本発明の実施例に係る信号検出方法を示し、図１に示した方法は、ステップ１１０とステップ１２０とを含む。
【００５６】
ステップ１１０において、端末が、第１の伝送点が送信した第２の伝送点のシステム構成情報を受信する。
【００５７】
具体的に、端末は、第２の伝送点が第１の伝送点を介して送信した第２の伝送点のシステム構成情報を受信することができる。
【００５８】
上記第２の伝送点のシステム構成情報は、端末が第２の伝送点をトリガーすることによって、第２の伝送点により第１の伝送点へ送信してもよいし、端末が複数の第２の伝送点候補のシステム構成情報を第１の伝送点へ送信して、第１の伝送点が第２の伝送点をトリガーすることによって、第２の伝送点が第１の伝送点を介して端末へ送信してもよい。さらに、第２の伝送点のシステム構成情報は、第１の伝送点中に予め保存されているものであっても良く、第１の伝送点により第２の伝送点のシステム構成情報を端末へ送信してもよく、本発明はこれらに対し具体的に限定しないことを、理解すべきである。
【００５９】
また、端末は、第１の伝送点が送信したダウンリンクシグナリングによって、第２の伝送点のシステム構成情報を受信してもよいことを、理解すべきである。例えば、端末は、第１の伝送点が送信した無線リソース制御（ＲＲＣ：Ｒａｄｉｏ  Ｒｅｓｏｕｒｃｅ  Ｃｏｎｔｒｏｌ）シグナリングによって、第１の伝送点が送信したダウンリンクシグナリングを受信してもよい。
【００６０】
オプションとして、一実施例として、前記システム構成情報は、前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含む。
【００６１】
具体的に、第１の伝送点に対する第２の伝送点の時間同期情報は、第２の伝送点と第１の伝送点とが同期されているか否かを示すための指示情報、及び／或いは、第１の伝送点に対する第２の伝送点の時間同期オフセット量を、含む。
【００６２】
上記第１の伝送点に対する第２の伝送点の時間同期オフセット量は、第１の伝送点に対する第２の伝送点の無線フレームオフセット量、第１の伝送点に対する第２の伝送点のサブフレームオフセット量、第１の伝送点に対する第２の伝送点の伝送時間間隔オフセット量、及び、第１の伝送点に対する第２の伝送点の伝送シンボルオフセット量を含んでもよい。
【００６３】
例えば、無線フレームオフセット量がＮであることは、第２の伝送点と第１の伝送点との間の時間同期の差分が、Ｎ個の無線フレームであることを示してもよく、一般的に、一つの無線フレームの時間長さは、１０ｍｓである。サブフレームオフセット量がＮであることは、第２の伝送点と第１の伝送点との間の時間同期の差分が、Ｎ個のサブフレームであることを示してもよく、伝送時間間隔オフセット量がＮであることは、第２の伝送点と第１の伝送点との間の時間同期の差分が、Ｎ個の伝送時間間隔であることを示してもよく、シンボルオフセット量がＮであることは、第２の伝送点と第１の伝送点との間の時間同期の差分が、Ｎ個のシンボルであることを示してもよい。
【００６４】
上記第２の伝送点の同期信号構成情報は、同期信号のリソース位置情報、及び／或いは、同期信号に付加されているシーケンス情報を、含む。
【００６５】
同期信号のリソース位置情報は、同期信号の時間−周波数リソース構成情報、同期信号が位置するサブフレーム、及び、同期信号が位置するシンボルを、示すためのものである。
【００６６】
同期信号に付加されている全部又は一部のシーケンス情報は、同期シーケンスによって同期信号に付加された全部又は一部の情報を示してもよい。例えば、同期シーケンスには、第２の伝送点の完全な識別子ＩＤ、或いは、第２の伝送点を得るための識別子ＩＤの一部の情報が、付加されてもよい。
【００６７】
例えば、第２の伝送点の識別子ＩＤ＝Ａ＊Ｂであると、同期信号には第２の伝送点の識別子ＩＤを示すための情報Ａが付加されていてもよく、端末により第２の伝送点のダウンリンク信号に対する後続的な検出によってＢを確定してもよい。或いは、同期信号には完全な第２の伝送点の識別子ＩＤが付加されてもよく、この時、端末は第２の伝送点の識別子ＩＤを直接に取得でき、端末によりさらに第２の伝送点が後続的に伝送するダウンリンク信号を検出してＢを確定する必要がない。
【００６８】
上記システム構成情報は、第２の伝送点の基準信号構成情報を含み、基準信号構成情報は、基準信号の時間−周波数リソース構成情報、基準信号のシーケンス情報、基準信号の送信電力構成情報、及び、基準信号のポート構成情報の中の、少なくとも一つを含む。
【００６９】
上記基準信号の時間−周波数リソース構成情報は、基準信号の時間−周波数リソース伝送パターン（Ｐａｔｔｅｒｎ）の構成情報、当該基準信号を伝送する伝送周期、或いは、当該基準信号を伝送するのに使用するサブフレームの構成情報などであってもよい。
【００７０】
基準信号のシーケンス情報は、当該基準信号のスクランブリングシーケンスＩＤ、基準信号の直交コード長さ、或いは、基準信号の直交コードタイプなどの情報であってもよい。
【００７１】
基準信号のポート構成情報は、当該基準信号を伝送するアンテナポートの数量であってもよい。
【００７２】
上記第２の伝送点の信号のプレフィックス情報は、プレフィックスタイプ情報、及び／或いは、プレフィックス長さ情報を、含む。
【００７３】
上記第２の伝送点のサブフレーム構造構成情報は、サブフレーム中の直交周波数分割多重技術（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの数量、サブフレーム中の保護間隔（ＧＡＰ、ＧＰ）の数量、サブフレーム中の保護間隔ＧＰの位置、及び、サブフレーム中の互いに異なるタイプのＯＦＤＭシンボルの数量中の、少なくとも一つを含む。
【００７４】
上記アンテナ構成情報は、第２の伝送点のアンテナポートの数量、或いは、第２の伝送点のアンテナタイプなどを示すための情報であってもよい。
【００７５】
上記システム構成情報に含まれた第２の伝送点のシステム構成を示すための情報は、任意の方法によって組み合わせられて、第１の伝送点を介して端末に送信されてもよく、本発明は上記情報の組み合わせ方法に対し具体的に限定しないことを、理解すべきである。
【００７６】
例えば、端末は、システム構成情報中の第２の伝送点の基準信号構成情報、及び、第２の伝送点の識別子に基づいて、基準信号のシーケンスを確定してもよく、基準信号は、例えば、セル固有基準信号（ＣＲＳ：Ｃｅｌｌ−ｓｐｅｃｉｆｉｃ  Ｒｅｆｅｒｅｎｃｅ  Ｓｉｇｎａｌ）のシーケンス、或いは、チャネル情報測定基準信号（ＣＳＩ−ＲＳ：Ｃｈａｎｎｅｌ  Ｓｉｇｎａｌ  Ｉｎｆｏｒｍａｔｉｏｎ  Ｒｅｆｅｒｅｎｃｅ  Ｓｉｇｎａｌ）であってもよい。
【００７７】
オプションとして、一実施例として、前記第１の伝送点は、長期エボリューション（ＬＴＥ）データ伝送のためのキャリアであり、前記第２の伝送点は、５Ｇ新たなエアインタフェース（ＮＲ：Ｎｅｗ  Ｒａｄｉｏ）データ伝送のためのキャリアである。
【００７８】
具体的に、第１の伝送点は、端末が現在滞在しているＬＴＥネットワーク中のセルによって使用されるキャリアであってもよく、第２の伝送点は、端末がアクセスしようとする５Ｇネットワーク中のＮＲデータ伝送に使用されるキャリアであってもよい。
【００７９】
上記第１の伝送点と第２の伝送点とは、互いに異なるネットワーク規格におけるデータ伝送のためのキャリアであってもよく、本発明はこれらに対し具体的に限定しないことを、理解すべきである。
【００８０】
ステップ１２０において、前記端末が、前記第２の伝送点のシステム構成情報に基づいて、前記第２の伝送点のダウンリンク信号検出を実行する。
【００８１】
なお、上記端末が第２の伝送点のダウンリンク信号検出を実行することは、端末が第２の伝送点のダウンリンク信号の復調を実行すること、或いは、端末が第２の伝送点のダウンリンク信号の測定を実行することなどを含んでもよく、本発明はこれらに対し具体的に限定しない。
【００８２】
オプションとして、一実施例として、前記時間同期情報は、前記第２の伝送点と前記第１の伝送点とが同期されているか否かを示すための指示情報を含み、前記端末が、前記第２の伝送点のシステム構成情報に基づいて、前記第２の伝送点のダウンリンク信号検出を実行することは、前記第２の伝送点と前記第１の伝送点とが同期されていると、前記端末が、前記第１の伝送点のダウンリンク定時に基づいて、前記第２の伝送点のダウンリンク信号検出を実行することを含むか、或いは、前記端末が、前記第１の伝送点のダウンリンク定時に基づいて、前記第２の伝送点の同期信号の検出ウィンドウを確定することと、前記端末が、前記検出ウィンドウ内で、前記第２の伝送点の同期信号検出を実行して、前記第２の伝送点の同期参照を取得することと、前記端末が、前記第２の伝送点の同期参照に基づいて、前記第２の伝送点のダウンリンク信号検出を実行することとを含む。
【００８３】
具体的に、端末は、上記指示情報に基づいて、第２の伝送点と第１の伝送点とが同期されているか否かを確定し、第１の伝送点と第２の伝送点とが同期されていると、当該端末は、第１の伝送点のダウンリンク定時に基づいて第２の伝送点のダウンリンク信号の検出を実行してもよい。
【００８４】
例えば、端末は、第１の伝送点と第２の伝送点とが同期されていると、第１の伝送点から取得した、無線フレーム或いは無線サブフレームの開始時刻を示すダウンリンク定時として、第２の伝送点の無線フレーム或いは無線サブフレームの開始時刻に基づいて、第２の伝送点の無線フレームおよび無線サブフレームのタイミングを確定してもよい。つまり、端末は、第１の伝送点が取得したダウンリンク定時に基づいて、第２の伝送点の無線フレームの境界およびインデックスを確定してもよい。
【００８５】
さらに、端末は、第１の伝送点と第２の伝送点とが同期されていると、第１の伝送点のダウンリンク定時を第２の伝送点のダウンリンク信号のダウンリンク定時とし、また、第２の伝送点のダウンリンク信号の検出ウィンドウとして当該ダウンリンク定時の近辺の検出ウィンドウを選択して、当該検出ウィンドウ内で、第２の伝送点のダウンリンク信号の検出を実行してもよい。
【００８６】
さらに、端末は、第１の伝送点と第２の伝送点とが同期されていると、例えば、第１の伝送点から取得したダウンリンク定時、及び、第２の伝送点の同期信号の時間−周波数リソースに基づいて、第２の伝送点の同期信号の時間−周波数リソース推定位置を確定し、また、同期信号の時間−周波数リソース推定位置の近辺の一つの信号検出ウィンドウを、第２の伝送点のダウンリンク信号の検出ウィンドウとして確定してもよい。例えば、端末は、時間−周波数リソース推定位置を中心として長さがＫマイクロ秒とされる一つの信号検出ウィンドウを、第２の伝送点のダウンリンク信号検出ウィンドウとして確定してもよい。
【００８７】
また、端末は、当該端末が上記指示情報によって第２の伝送点と第１の伝送点とが確定された場合、さらに、第１の伝送点を用いて第２の伝送点のダウンリンク信号の測定または検出のための他の情報を取得して、前記第２の伝送点のダウンリンク同期信号検出を実行してもよく、本発明はこれらに対し具体的に限定しないことを、理解すべきである。
【００８８】
オプションとして、一実施例として、前記時間同期情報は、前記第２の伝送点と前記第１の伝送点とが同期されているか否かを示すための指示情報を含み、前記端末が、前記第２の伝送点のシステム構成情報に基づいて、前記第２の伝送点のダウンリンク信号検出を実行することは、前記第２の伝送点と前記第１の伝送点とが同期されていないと、前記端末が、前記第２の伝送点の同期信号を検出して、前記第２の伝送点の同期参照を取得することと、前記端末が、前記第２の伝送点の同期参照に基づいて、第２の伝送点のダウンリンク信号検出を実行することとを含む。
【００８９】
具体的に、端末は、第２の伝送点の同期信号の検出を実行することによって、第２の伝送点の同期参照を取得してもよく、当該第２の伝送点の同期参照は、第２の伝送点の時間同期参照、及び／或いは、第２の伝送点の周波数同期参照であってもよい。当該第２の伝送点の同期参照は、第２の伝送点のシンボルクロックおよび周波数情報、セル帯域幅、セルＩＤ、フレームクロック情報、セルマルチアンテナ構成、ブロードキャストチャネル（ＢＣＨ：Ｂｒｏａｄｃａｓｔ  Ｃｈａｎｎｅｌ）帯域幅および同期チャネル（ＳＣＨ：Ｓｙｎｃｈｒｏｎｉｚａｔｉｏｎ  Ｃｈａｎｎｅｌ）、及び、ＢＣＨが位置するサブフレームのサイクリックプレフィックス（ＣＰ：Ｃｙｃｌｉｃ  Ｐｒｅｆｉｘ）長さなどの情報を含む。
【００９０】
オプションとして、一実施例として、前記時間同期情報は、前記第１の伝送点に対する前記第２の伝送点の時間同期オフセット量を含み、前記端末が、前記第２の伝送点のシステム構成情報に基づいて、前記第２の伝送点のダウンリンク信号検出を実行することは、前記端末が、前記時間同期オフセット量、及び、予め確定した前記第２の伝送点の同期信号の時間−周波数リソースに基づいて、前記第２の伝送点の同期信号の検出ウィンドウを確定することと、前記端末が、前記検出ウィンドウ内で、第２の伝送点の同期信号検出を実行して、前記第２の伝送点の同期参照を取得することと、前記端末が、前記第２の伝送点の同期参照に基づいて、前記第２の伝送点のダウンリンク信号検出を実行することとを含む。
【００９１】
具体的に、端末は、第１の伝送点のダウンリンク定時、及び、前記第２の伝送点の時間オフセット量に基づいて、第２の伝送点のダウンリンク定時を推定してもよい。つまり、第２の伝送点のダウンリンク定時は、第１の伝送点のダウンリンク定時に対して、上記時間オフセット量に対応される時間オフセットを実行することによって、推定して得られてもよい。端末は、第２の伝送点の同期信号の時間−周波数リソース位置、及び、推定される第２の伝送点のダウンリンク定時に基づいて、第２の伝送点の同期信号の時間−周波数リソース推定位置を確定し、さらに、当該時間−周波数リソース推定位置の近辺の検出ウィンドウを、第２の伝送点のダウンリンク信号の検出ウィンドウとして確定してもよい。
【００９２】
例えば、端末は、第２の伝送点のプライマリ同期信号（ＰＳＳ：Ｐｒｉｍａｒｙ  Ｓｙｎｃｈｒｏｎｉｚａｔｉｏｎ  Ｓｉｇｎａｌ）の時間−周波数リソースを確定してもよい。周波数分割複信（ＦＤＤ：Ｆｒｅｑｕｅｎｃｙ  Ｄｉｖｉｓｉｏｎ  Ｄｕｐｌｅｘｉｎｇ）モードの場合、ＰＳＳは、ｓｌｏｔ０およびｓｌｏｔ１０の後ろから一番目のＯＦＤＭシンボル上に位置する。端末は、ＰＳＳが位置する時間−周波数リソース上で、ＰＳＳに対して検出を行って、セルグループ中のセルＩＤを取得する同時に、５ｍｓのタイムスロット境界も確定して、タイムスロット同期を取得することができる。
【００９３】
端末は、さらに、第１の伝送点のダウンリンク定時、及び、第２の伝送点の同期信号の時間−周波数リソース位置に基づいて、第２の伝送点の同期信号の参照時間−周波数リソース位置を確定してもよく、つまり、第２の伝送点の同期信号の参照時間−周波数リソース位置は、第１の伝送点のダウンリンク定時に基づいて確定された情報である。端末は、第１の伝送点に対する第２の伝送点の時間オフセット量、及び、上記同期信号の参照時間−周波数リソース位置に基づいて、第２の伝送点の同期信号の推定される時間−周波数リソース位置を確定して、当該時間−周波数推定リソースの近辺のウィンドウを検出ウィンドウとしてもよい。
【００９４】
なお、第２の伝送点の同期信号の時間−周波数リソース推定位置は、上記参照時間−周波数リソース位置に対して、第１の伝送点に対する第２の伝送点の時間オフセット量に対応される時間オフセットを実行することによって、取得することができる。
【００９５】
上記予め確定した第２の伝送点の同期信号の時間−周波数リソース位置は、第１の伝送点のダウンリンク定時を参照として確定した時間−周波数リソース位置であってもよく、上記予め確定した第２の伝送点の同期信号の時間−周波数リソースは、例えば、Ｎ番目のサブフレームのＭ番目のシンボルおよび固定された帯域幅のように、予め約束したものであってもよいことを、理解すべきである。
【００９６】
例えば、端末は、第２の伝送点の同期信号の時間−周波数リソース推定位置を中心とする０.５ｍｓの長さの一つの時間ウィンドウを、第２の伝送点のダウンリンク信号の検出ウィンドウとしてもよい。
【００９７】
端末は、第２の伝送点の同期参照を確定した後、第２の伝送点のダウンリンク信号の時間−周波数リソースに基づいて、前記ダウンリンク信号の伝送リソース位置を確定して、検出或いは測定を実行してもよいことを、理解すべきである。
【００９８】
なお、第１の伝送点に対する第２の伝送点の時間同期オフセット量がゼロであると、第２の伝送点と第１の伝送点とが同期されていることを示し、第１の伝送点に対する第２の伝送点の時間同期オフセット量がゼロでないと、第２の伝送点と第１の伝送点とが同期されていないことを示してもよい。
【００９９】
上記端末が第２の伝送点の同期参照を取得することは、当該端末が第２の伝送点の時間同期参照、及び／或いは、周波数同期参照を取得することを意味しても良く、ここで、当該第２の伝送点の同期参照は、第２の伝送点のシンボルクロックおよび周波数情報、セル帯域幅、セルＩＤ、フレームクロック情報、セルマルチアンテナ構成、ＢＣＨ帯域幅、及び、ＳＣＨとＢＣＨが位置するサブフレームのＣＰ長さなどの情報を含むことを、理解すべきである。
【０１００】
オプションとして、一実施例として、前記端末が、前記第２の伝送点のシステム構成情報に基づいて、前記第２の伝送点のダウンリンク信号検出を実行することは、前記端末が、前記第２の伝送点の同期信号の時間−周波数リソース位置、及び／或いは、シーケンス情報に基づいて、前記第２の伝送点の同期信号を検出して、前記第２の伝送点の同期参照を取得することと、前記端末が、前記第２の伝送点の同期参照に基づいて、前記第２の伝送点のダウンリンク信号検出を実行することとを含む。
【０１０１】
なお、もし、端末が、第２の伝送点の同期信号の全部の構成情報を取得した後、第２の伝送点の同期信号の構成情報に基づいて、第２の伝送点の同期信号を直接に検出することができると、ブラインド検出を実行する必要がなくなって、端末による検出の複雑さを軽減することができる。
【０１０２】
もし、端末が、第２の伝送点の同期信号の一部の構成情報を取得した後、上記同期信号の一部の構成情報に基づいて、当該同期信号の未知の構成情報に対してブラインド検出を実行することができると、この場合、当該方案は、第２の伝送点のダウンリンク信号検出の複雑さをある程度で軽減することができる同時に、一定の柔軟性を保持することができる。
【０１０３】
端末は、システム構成情報中の他の情報によって、第２の伝送点のダウンリンク信号検出を実行してもよいことを、理解すべきである。例えば、端末は、システム構成情報中の第１の伝送点に対する第２の伝送点の時間同期オフセット量、及び、第２の伝送点の同期信号の時間−周波数リソース位置に基づいて、第２の伝送点の同期信号の検出ウィンドウを確定し、さらに、上記検出ウィンドウ上で、第２の伝送点の同期信号のシーケンス情報に基づいて、第２の伝送点の同期信号の検出を実行してもよい。
【０１０４】
オプションとして、一実施例として、前記第２の伝送点のシステム構成情報は、前記第２の伝送点の基準信号構成情報を含み、前記端末が、前記第２の伝送点のシステム構成情報に基づいて、前記第２の伝送点のダウンリンク信号検出を実行することは、前記端末が、前記第２の伝送点の基準信号構成情報に基づいて、前記第２の伝送点の基準信号の構成を確定することと、前記端末が、前記第２の伝送点の基準信号の構成に基づいて、前記第２の伝送点のダウンリンク無線リソース管理（ＲＲＭ：Ｒａｄｉｏ  ＲｅＳｏｕｒｃｅ  Ｍａｎａｇｅｍｅｎｔ）測定を実行することとを含み、前記方法は、前記端末がＲＲＭ測定結果を生成することと、前記端末が、前記ＲＲＭ測定結果を、前記第１の伝送点へ送信すること、或いは、前記端末が、前記ＲＲＭ測定結果に基づいて、前記第２の伝送点が検出されたが否かを確定することとをさらに含む。
【０１０５】
端末は、上記ＲＲＭ測定結果に基づいて、第２の伝送点と通信を行うか否かを確定し、上記ＲＲＭ測定結果に基づいて、第２の伝送点をアクセスするか否かを確定し、上記ＲＲＭ測定結果に基づいて、第２の伝送点が後続的に伝送する信号を受信するか否かを確定してもよいことを、理解すべきである。
【０１０６】
さらに、端末は、上記ＲＲＭ測定結果に基づいて、第２の伝送点が検出されたか否かを確定した後、第２の伝送点が検出されたか否かを示すための指示情報を、第１の伝送点へ送信してもよい。
【０１０７】
なお、上記基準信号は、第２の伝送点のＣＲＳ、及び／或いは、ＣＳＩ−ＲＳを、含んでもよい。
【０１０８】
例えば、端末は、第２の伝送点のＣＲＳ、及び／或いは、ＣＳＩ−ＲＳ構成情報（例えば、ＣＲＳ、及び／或いは、ＣＳＩ−ＲＳの時間−周波数リソース位置）に基づいて、ＣＲＳ、及び／或いは、ＣＳＩ−ＲＳを搬送するリソースブロック（ＲＥ：ＲｅＳｏｕｒｃｅ  Ｂｌｏｃｋ）を確定し、当該ＣＲＳ、及び／或いは、ＣＳＩ−ＲＳを搬送するＲＥによって受信した基準信号の電力の平均値を測定してもよい。
【０１０９】
端末は、上記基準信号構成情報に基づいて基準信号構成情報を確定してもよいし、第２の伝送点の他の情報に基づいて基準信号構成情報を確定してもよく、本発明では端末が基準信号構成情報を取得する方法に対し具体的に限定しないことを、理解すべきである。
【０１１０】
例えば、端末は、第１の伝送点に対する第２の伝送点の時間オフセット量、及び、上記基準信号構成情報に基づいて、ＣＲＳ、及び／或いは、ＣＳＩ−ＲＳの時間−周波数リソース位置を確定してもよい。上記第２の伝送点の基準信号の時間−周波数リソース位置は、予め約束したものであってもよい。
【０１１１】
例えば、端末は、システム構成情報中の同期信号構成情報に基づいて、第２の伝送点の同期参照を取得して、上記第２の伝送点の同期参照および第２の伝送点の基準信号構成情報に基づいて、ＣＲＳ／ＣＳＩ−ＲＳの時間−周波数リソース位置を確定してもよい。
【０１１２】
例えば、端末は、システム構成情報中の第２の伝送点の識別情報および第２の伝送点の基準信号構成情報に基づいて、ＣＲＳ／ＣＳＩ−ＲＳのシーケンスを確定してもよい。
【０１１３】
オプションとして、一実施例として、前記システム構成情報は、前記第２の伝送点の動作周波数ポイント情報を含み、前記端末が、前記第２の伝送点のシステム構成情報に基づいて、前記第２の伝送点のダウンリンク信号検出を実行することは、前記端末が、前記第２の伝送点の動作周波数ポイント情報に基づいて、前記第２の伝送点の動作周波数ポイントを確定することと、前記端末が、前記動作周波数ポイントが位置する帯域幅内で、ダウンリンク信号検出を実行することとを含む。
【０１１４】
例えば、端末は、第２の伝送点の動作周波数ポイントが位置する帯域幅内で、第２の伝送点の同期信号或いは基準信号の検出を実行してもよい。
【０１１５】
オプションとして、一実施例として、前記端末が、前記第２の伝送点のシステム構成情報に基づいて、前記第２の伝送点のダウンリンク信号検出を実行することは、前記端末が、前記第２の伝送点の信号のプレフィックス情報に基づいて、前記第２の伝送点のダウンリンク信号のプレフィックスタイプ、及び／或いは、プレフィックス長さを確定することと、前記端末が、前記第２の伝送点のダウンリンク信号検出を実行することとを含み、ここで、前記第２の伝送点のダウンリンク信号は、前記プレフィックスタイプ、及び／或いは、プレフィックス長さに対応されるプレフィックスが付加されているダウンリンク信号である。
【０１１６】
具体的に、上記ダウンリンク信号のプレフィックスタイプ情報は、当該ダウンリンク信号が、サイクリックプレフィックス（ＣＰ：Ｃｙｃｌｉｃ  Ｐｒｅｆｉｘ）を採用するか、それとも、ゼロプレフィックス（ＺＰ：Ｚｅｒｏ  Ｐｒｅｆｉｘ）を採用するかを、示してもよい。
【０１１７】
ダウンリンク信号のプレフィックス長さ情報は、当該ダウンリンク信号が、通常の長さのプレフィックスを採用するか、それとも、拡張的な長さプレフィックスを採用するかを、示してもよい。
【０１１８】
オプションとして、一実施例として、前記システム構成情報は、前記第２の伝送点のサブキャリア間隔情報を含み、前記端末が、前記第２の伝送点のシステム構成情報に基づいて、前記第２の伝送点のダウンリンク信号検出を実行することは、前記端末が、前記サブキャリア間隔情報に基づいて、前記第２の伝送点の目標帯域幅内のサブキャリア数量を確定することと、前記端末が、前記目標帯域幅内のサブキャリア数量に基づいて、前記第２の伝送点のダウンリンク信号検出を実行することとを含む。
【０１１９】
なお、サブキャリア間隔と一定の帯域幅内のサブキャリア数量とのマッピング関係は、予め約束したものであってもよい。上記目標帯域幅は、システム構成情報中に付加された第２の伝送点のシステム帯域幅によって確定してもよい。
【０１２０】
オプションとして、一実施例として、前記システム構成情報は、前記第２の伝送点のサブフレーム構造構成情報を含み、前記端末が、前記第２の伝送点のシステム構成情報に基づいて、前記第２の伝送点のダウンリンク信号検出を実行することは、前記端末が、前記第２の伝送点のサブフレーム構造構成情報に基づいて、前記第２の伝送点のサブフレーム構造を確定することと、前記端末が、前記サブフレーム構造に基づいて、前記第２の伝送点のダウンリンク信号検出を実行することとを含む。
【０１２１】
具体的に、上記サブフレーム構造構成情報は、サブフレーム中のＯＦＤＭシンボルの数量、サブフレーム中のＧＰ数量およびＧＰ長さ、サブフレーム中の互いに異なるタイプのＯＦＤＭシンボルの数量構成、及び、サブフレーム中の制御シンボルおよびデータシンボルのそれぞれの数量の中の、少なくとも一つを示してもよい。
【０１２２】
その中、サブフレーム中の互いに異なるタイプのＯＦＤＭシンボルの数量構成は、サブフレーム中のダウンリンク制御／データシンボルの数量とアップリンク制御シンボルの数量とを示してもよいし、サブフレーム中のダウンリンク制御シンボルとアップリンクデータシンボルとの数量または比率構成を示してもよいし、サブフレーム中のダウンリンク制御シンボルとアップリンクデータシンボルとの比率構成を示してもよい。
【０１２３】
オプションとして、一実施例として、前記システム構成情報は、前記第２の伝送点のシステム帯域幅情報を含み、前記端末が、前記第２の伝送点のシステム構成情報に基づいて、前記第２の伝送点のダウンリンク信号検出を実行することは、前記端末が、前記第２の伝送点のシステム帯域幅情報に基づいて、前記第２の伝送点のシステム帯域幅を確定することと、前記端末が、前記第２の伝送点のシステム帯域幅内で、前記第２の伝送点のダウンリンク信号検出を実行することとを含む。
【０１２４】
端末は、第２の伝送点のシステム帯域幅に基づいて、第２の伝送点の同期信号或いは基準信号のシーケンス長さを確定して、そして同期信号または基準信号検出を実行してもよいことを、理解すべきである。
【０１２５】
オプションとして、一実施例として、前記システム構成情報は、前記第２の伝送点のアップリンクとダウンリンクとのタイムスロット構成情報を含み、前記端末が、前記第２の伝送点のシステム構成情報に基づいて、前記第２の伝送点のダウンリンク信号検出を実行することは、前記端末が、前記第２の伝送点のアップリンクとダウンリンクとのタイムスロット構成情報に基づいて、前記第２の伝送点中の前記ダウンリンク信号の時間−周波数リソース位置を確定することと、前記端末が、前記時間−周波数リソース位置上で、前記第２の伝送点のダウンリンク信号検出を実行することとを含む。
【０１２６】
具体的に、端末は、タイムスロット構成情報に基づいて、一定の時間内のダウンリンクタイムスロット或いはダウンリンク伝送時間間隔（ＴＴＩ：Ｔｒａｎｓｍｉｓｓｉｏｎ  Ｔｉｍｅ  Ｉｎｔｅｒｖａｌ）の数量および位置を確定してもよく、上記ダウンリンクタイムスロット或いはダウンリンクＴＴＩの一部または全部は、第２の伝送点のダウンリンク信号の伝送に使用されてもよい。
【０１２７】
オプションとして、一実施例として、前記システム構成情報は、前記第２の伝送点のアンテナ構成情報を含み、前記端末が、前記第２の伝送点のシステム構成情報に基づいて、前記第２の伝送点のダウンリンク信号検出を実行することは、前記端末が、前記アンテナ構成情報に基づいて、前記第２の伝送点がダウンリンク信号を送信する際に利用したアンテナポートを確定することと、前記端末が、前記アンテナポートに基づいて、前記第２の伝送点のダウンリンク信号検出を実行することとを含む。
【０１２８】
具体的に、端末は、第２の伝送点がダウンリンク信号を送信するのに使用する各アンテナポート上で、それぞれ、第２の伝送点のダウンリンク信号検出を実行してもよい。
【０１２９】
オプションとして、一実施例として、前記システム構成情報は、前記第２の伝送点の識別子を含み、前記端末が、前記第２の伝送点のシステム構成情報に基づいて、前記第２の伝送点のダウンリンク信号検出を実行することは、前記端末が、前記第２の伝送点の識別子に基づいて、前記第２の伝送点のダウンリンク信号の伝送フォーマット、及び／或いは、シーケンスを確定することと、前記端末が、前記ダウンリンク信号の伝送フォーマット、及び／或いは、シーケンスに基づいて、前記第２の伝送点のダウンリンク信号検出を実行することとを含む。
【０１３０】
具体的に、上記第２の伝送点のダウンリンク信号の伝送フォーマットは、第２の伝送点のダウンリンク信号の時間−周波数リソース位置、第２の伝送点のダウンリンク信号の情報スクランブリング方法、及び、第２の伝送点のダウンリンク信号のサブキャリア間隔などを、含んでもよい。
【０１３１】
オプションとして、一実施例として、前記方法は、前記端末が、前記第２の伝送点のダウンリンク信号の測定結果或いは検出結果を生成することと、前記端末が、前記測定結果或いは検出結果を、前記第１の伝送点へ送信することとをさらに含む。
【０１３２】
具体的に、端末は、第１の伝送点へ上記検出結果を送信してもよく、当該検出結果は当該端末による第２の伝送点の同期信号の検出が成功したか否かを第１の伝送点に対して示してもよい。端末は、当該端末が第２の伝送点の同期信号を検出に成功した場合、第２の伝送点の同期信号に付加されている識別情報を第１の伝送点へ送信してもよい。端末は、ダウンリンク信号によって、基準信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）／基準信号受信品質（ＲＳＲＱ：Ｒｅｆｅｒｅｎｃｅ  Ｓｉｇｎａｌ  Ｒｅｃｅｉｖｉｎｇ  Ｑｕａｌｉｔｙ）のような、ＲＲＭ測定の測定結果を、第１の伝送点へ送信してもよいし、或いは、ダウンリンク信号の経路損失測定の測定結果を第１の伝送点へ送信してもよい。
【０１３３】
オプションとして、一実施例として、前記方法は、前記端末が、前記第２の伝送点のシステム構成情報に基づいて、アップリンク信号を、前記第２の伝送点へ送信することをさらに含む。
【０１３４】
本発明の実施例に係る端末は、第１の伝送点から第２の伝送点のシステム構成情報を取得することによって、端末による第２の伝送点の信号検出の複雑さを軽減することができる。
【０１３５】
図２は、本発明のもう一実施例の信号検出方法を示した。図２に示した方法は、ステップ２１０を含む。
【０１３６】
ステップ２１０において、第１の伝送点が第２の伝送点のシステム構成情報を端末に送信することによって、端末が前記第２の伝送点のシステム構成情報に基づいて前記第２の伝送点のダウンリンク信号検出を実行するようにする。
【０１３７】
本発明の実施例に係る端末は、第１の伝送点から第２の伝送点のシステム構成情報を取得することによって、端末による第２の伝送点の信号検出の複雑さを軽減することができる。
【０１３８】
オプションとして、一実施例として、前記システム構成情報は、前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号プレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含む。
【０１３９】
オプションとして、一実施例として、前記第１の伝送点は、長期エボリューション（ＬＴＥ）データ伝送のためのキャリアであり、前記第２の伝送点は、ＮＲデータ伝送のためのキャリアである。
【０１４０】
オプションとして、一実施例として、前記方法は、前記第１の伝送点が、前記端末が送信した前記第２の伝送点のダウンリンク信号の測定結果或いは検出結果を受信することをさらに含む。
【０１４１】
以下、第１の伝送点がＬＴＥ周波数帯域のセル１であり、第２の伝送点が５Ｇ周波数帯域上のセル２である例を挙げて、図３を参照して、本発明の実施例の信号検出方法を詳細に説明する。
【０１４２】
図３は、本発明のもう一実施例の信号検出方法の例示的なフローチャートを示した。図３に示した方法は、ステップ３１０〜３４０を含む。
【０１４３】
ステップ３１０において、端末が、ＬＴＥ周波数帯域のセル１に滞在している。
【０１４４】
具体的に、端末に対してサービスを提供するサービスセルは、セル１である。
【０１４５】
ステップ３２０において、端末が、セル１が送信したセル２のシステム構成情報を受信する。
【０１４６】
具体的に、端末は、セル１が送信した上位シグナリングを受信してもよく、当該上位シグナリング中にはセル２のシステム構成情報が付加されており、ここで、当該システム構成情報は、セル２の動作周波数ポイント情報、システム帯域幅情報、サブキャリア間隔情報、及び、ＣＳＩ−ＲＳ構成情報を、含む。
【０１４７】
ステップ３３０において、端末が、セル２のシステム構成情報に基づいて、セル２のダウンリンク信号検出を実行する。
【０１４８】
具体的に、ステップ３３０は、ステップ３３１〜３３８を含む。
【０１４９】
ステップ３３１において、端末が、セル２の動作周波数ポイント情報に基づいて、セル２が位置する動作周波数ポイントを確定してもよく、当該端末は、当該動作周波数ポイントが位置する周波数帯域上で、セル２の同期信号のブラインド検出を実行する。
【０１５０】
ステップ３３２において、端末が、当該端末がセル２のシステム構成情報に基づいてセル２の同期信号が検出されないと、検出結果をセル１へ送信することによって、当該端末によってセル２のダウンリンク信号が検出されないことを、セル１に通知してもよい。
【０１５１】
ステップ３３３において、端末が、当該端末がセル２の同期信号を検出された場合、セル２の同期信号に基づいてセル２のセルＩＤおよび時間−周波数同期参照を取得してもよい。
【０１５２】
ステップ３３４において、端末が、セル２の帯域幅情報およびサブキャリア間隔情報に基づいて、セル２中の帯域幅上のサブキャリア数を確定し、さらに、ＣＳＩ−ＲＳのシーケンス長さを確定してもよい。
【０１５３】
上記帯域幅情報と、サブキャリア間隔情報と、サブキャリア数との対応関係は、予め約束したものであってもよいことを、理解すべきである。
【０１５４】
ステップ３３５において、端末が、ＣＳＩ−ＲＳシーケンス長さ、及び、ＣＳＩ−ＲＳシーケンス構成情報に基づいて、ＣＳＩ−ＲＳシーケンスを生成する。
【０１５５】
ステップ３３６において、端末が、セル２の時間−周波数同期参照およびＣＳＩ−ＲＳ時間−周波数リソース構成情報に基づいて、ＣＳＩ−ＲＳの時間−周波数リソース位置を確定する。
【０１５６】
ステップ３３７において、端末が、ＣＳＩ−ＲＳの時間−周波数リソース位置上で、端末が生成したＣＳＩ−ＲＳシーケンスに基づいて、ＣＳＩ−ＲＳ信号の検出を実行する。
【０１５７】
ステップ３３８において、端末が、ＣＳＩ−ＲＳ信号に基づいて、基準信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）測定を実行する。
【０１５８】
ステップ３４０において、端末が、ＲＳＲＰ測定結果をセル１へ送信する。
【０１５９】
セル１は、複数のセルのシステム構成情報を端末へ送信してもよく、端末は、図３に示した方法の信号検出プロセスに従って、複数のセル中の各セルを検出してもよい。また、端末は、各セルのＲＳＲＰをセル１へ送信し、セル１は、各セルのＲＳＲＰに基づいて、当該複数のセル中から目標セル（例えば、上記で記載したセル２）を選択して、当該端末がアクセスできるセルとしてもよいことを、理解すべきである。
【０１６０】
以下、第１の伝送点がキャリア１上のセル１であり、第２の伝送点がキャリア２上のセル２である例を挙げて、図４を参照して、本発明のもう一実施例の信号検出方法を詳細に説明する。
【０１６１】
図４は、本発明のもう一実施例の信号検出方法の例示的なフローチャートを示した。図４に示した方法は、ステップ４１０〜４５０を含む。
【０１６２】
ステップ４１０において、端末が、キャリア１上のセル１にアクセスする。
【０１６３】
具体的に、端末は、セル１をサービスセルとして、セル１を介してアップリンク／ダウンリンクデータの伝送を実行する。
【０１６４】
ステップ４２０において、端末が、セル１のシグナリングを受信し、当該シグナリングにはキャリア２のシステム構成情報が付加されている。
【０１６５】
具体的に、キャリア２のシステム構成情報は、キャリア２のシステム帯域幅情報、キャリア１に対するキャリア２のサブフレームオフセット量情報、キャリア２のサイクリックプレフィックス長さ情報、キャリア２のアップリンクとダウンリンクとのタイムスロット構成情報、及び、キャリア２上のＣＳＩ−ＲＳ構成情報を含む。
【０１６６】
ステップ４３０において、端末が、キャリア２のシステム構成情報に基づいて、キャリア２上の同期信号検出を実行して、キャリア２の同期参照を取得する。
【０１６７】
具体的に、ステップ４３０は、ステップ４３１〜４３４を含む。
【０１６８】
ステップ４３１において、端末が、キャリア１に対するキャリア２のサブフレームオフセット量情報に基づいて、キャリア１に対するキャリア２のサブフレームオフセット量を確定する。
【０１６９】
ステップ４３２において、端末が、サブフレームオフセット量および予め約束した同期信号の時間−周波数リソース位置に基づいて、キャリア２上の同期信号の時間−周波数リソースの推定位置を確定する。
【０１７０】
具体的に、端末は、予め約束した同期信号の時間−周波数リソース位置に対して、上記サブフレームオフセット量に対応される時間オフセットに従って、オフセットを実行して、オフセットして得た時間−周波数リソース位置を、キャリア２の同期信号の時間−周波数リソースの推定位置としてもよい。当該時間−周波数リソース位置は、同期信号に対してキャリア１のダウンリンク定時に基づいて確定して時間−周波数リソース位置であってもよい。
【０１７１】
例えば、上記予め約束した同期信号の時間−周波数リソース位置は、Ｎ番目のサブフレームのＭ番目のシンボルの固定の帯域幅上に位置してもよく、ここで、ＮとＭは固定値である。
【０１７２】
ステップ４３３において、端末が、キャリア２の同期信号の時間−周波数リソースの推定位置の附近の一つのサブフレーム長さの時間範囲内で、キャリア２の同期信号検出を実行する。
【０１７３】
ステップ４３４において、端末が、検出された同期信号に基づいて、キャリア２の同期参照を確定する。
【０１７４】
具体的に、当該同期参照は、キャリア２の時間同期参照、及び／或いは、周波数同期参照であってもよい。
【０１７５】
ステップ４４０において、端末が、キャリア２の同期参照、及び、キャリア２のＣＳＩ−ＲＳ構成情報に基づいて、ＣＳＩ−ＲＳ信号を検出し、ＲＲＭ測定を実行する。
【０１７６】
具体的に、ステップ４４０は、ステップ４４１〜４４４を含む。
【０１７７】
ステップ４４１において、端末が、キャリア２の帯域幅構成情報およびサブキャリア間隔構成情報に基づいて、キャリア２の帯域幅上のサブキャリア数を確定し、さらに、ＣＳＩ−ＲＳのシーケンス長さを確定する。
【０１７８】
上記キャリア２の帯域幅と、サブキャリア間隔と、サブキャリア数量との対応関係は、予め約束したものであってもよいことを、理解すべきである。
【０１７９】
ステップ４４２において、端末が、ＣＳＩ−ＲＳシーケンス長さ、及び、ＣＳＩ−ＲＳシーケンス構成情報に基づいて、ＣＳＩ−ＲＳシーケンスを生成する。
【０１８０】
ステップ４４３において、端末が、キャリア２のサイクリックプレフィックス長さ情報、キャリア２のアップリンクとダウンリンクとのタイムスロット構成情報、及び、ＣＳＩ−ＲＳ時間−周波数リソース構成情報に基づいて、ＣＳＩ−ＲＳ信号が占用した時間−周波数リソースを確定する。
【０１８１】
ステップ４４４において、端末が、キャリア２の同期参照、ＣＳＩ−ＲＳが占用した時間−周波数リソース、及び、端末が生成したＣＳＩ−ＲＳシーケンスに基づいて、ＣＳＩ−ＲＳ信号の検出を実行して、ＲＲＭ測定結果を確定する。
【０１８２】
ステップ４５０において、端末が、ＲＲＭ測定結果に基づいて、キャリア２でセルへのアクセスを行うか否かを確定する。
【０１８３】
端末は、ＲＲＭ測定結果をセル１に送信し、セル１によって端末がキャリア２でセルへのアクセスを行うか否かを確定してもよいことを、理解すべきである。
【０１８４】
上記で図１〜図４を参照して本発明の実施例の信号検出方法を詳細に説明した。以下、図５〜図８を参照して、本発明の実施例の信号検出装置を詳細に説明する。図５および図７に示した装置は、図１中の各ステップを実現することができ、図６および図８に示した装置は、図２中の各ステップを実現することができ、繰り返しを避けるため、ここでは詳しく説明しないことを、理解すべきである。
【０１８５】
図５は、本発明の実施例の信号検出装置の例示的なブロック図を示した。図５に示した装置は、端末であってもよい。図５に示した装置５００は、受信モジュール５１０と処理モジュール５２０とを含む。
【０１８６】
受信モジュール５１０は、第１の伝送点が送信した第２の伝送点のシステム構成情報を受信する。
【０１８７】
処理モジュール５２０は、前記受信モジュールが受信した前記第２の伝送点のシステム構成情報に基づいて、前記第２の伝送点のダウンリンク信号検出を実行する。
【０１８８】
本発明の実施例に係る端末は、第１の伝送点から第２の伝送点のシステム構成情報を取得することによって、端末による第２の伝送点の信号検出の複雑さを軽減することができる。
【０１８９】
オプションとして、一実施例として、前記システム構成情報は、前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含む。
【０１９０】
オプションとして、一実施例として、前記第１の伝送点に対する前記第２の伝送点の時間同期情報は、前記第２の伝送点と前記第１の伝送点とが同期されているか否かを示すための指示情報、及び／或いは、前記第１の伝送点に対する前記第２の伝送点の時間同期オフセット量を、含む。
【０１９１】
オプションとして、一実施例として、前記時間同期情報は、前記第２の伝送点と前記第１の伝送点とが同期されているか否かを示すための指示情報を含み、前記処理モジュールは、具体的に、前記第２の伝送点と前記第１の伝送点とが同期されていると、前記第１の伝送点のダウンリンク定時に基づいて、前記第２の伝送点のダウンリンク信号検出を実行するか、或いは、前記第１の伝送点のダウンリンク定時に基づいて、前記第２の伝送点の同期信号の検出ウィンドウを確定し、前記検出ウィンドウ内で、前記第２の伝送点の同期信号検出を実行して、前記第２の伝送点の同期参照を取得し、前記第２の伝送点の同期参照に基づいて、前記第２の伝送点のダウンリンク信号検出を実行する。
【０１９２】
オプションとして、一実施例として、前記時間同期情報は、前記第２の伝送点と前記第１の伝送点とが同期されているか否かを示すための指示情報を含み、前記処理モジュールは、また、具体的に、前記第２の伝送点と前記第１の伝送点とが同期されていないと、前記第２の伝送点の同期信号を検出して、前記第２の伝送点の同期参照を取得し、前記第２の伝送点の同期参照に基づいて、第２の伝送点のダウンリンク信号検出を実行する。
【０１９３】
オプションとして、一実施例として、前記第１の伝送点に対する前記第２の伝送点の時間同期オフセット量は、前記第１の伝送点に対する前記第２の伝送点の無線フレームオフセット量、前記第１の伝送点に対する前記第２の伝送点のサブフレームオフセット量、前記第１の伝送点に対する前記第２の伝送点の伝送時間間隔オフセット量、及び、前記第１の伝送点に対する前記第２の伝送点の伝送シンボルオフセット量の中の、少なくとも一つを含む。
【０１９４】
オプションとして、一実施例として、前記時間同期情報は、前記第１の伝送点に対する前記第２の伝送点の時間同期オフセット量を含み、前記処理モジュールは、具体的に、前記時間同期オフセット量、及び、予め確定した前記第２の伝送点の同期信号の時間−周波数リソースに基づいて、前記第２の伝送点の同期信号の検出ウィンドウを確定し、前記検出ウィンドウ内で、第２の伝送点の同期信号検出を実行して、前記第２の伝送点の同期参照を取得し、前記第２の伝送点の同期参照に基づいて、前記第２の伝送点のダウンリンク信号検出を実行する。
【０１９５】
オプションとして、一実施例として、前記第２の伝送点の同期信号構成情報は、前記同期信号のリソース位置情報、及び／或いは、前記同期信号に付加されているシーケンス情報を含む。
【０１９６】
オプションとして、一実施例として、前記処理モジュールは、具体的に、前記同期信号のリソース位置情報、及び／或いは、前記同期信号に付加されているシーケンス情報に基づいて、前記第２の伝送点の同期信号の時間−周波数リソース位置、及び／或いは、シーケンス情報を確定し、前記時間−周波数リソース位置、及び／或いは、シーケンス情報に基づいて、前記第２の伝送点の同期信号を検出して、前記第２の伝送点の同期参照を取得し、前記第２の伝送点の同期参照に基づいて、前記第２の伝送点のダウンリンク信号検出を実行する。
【０１９７】
オプションとして、一実施例として、前記第２の伝送点の基準信号構成情報は、前記基準信号の時間−周波数リソース構成情報、前記基準信号のシーケンス情報、前記基準信号の送信電力構成情報、及び、前記基準信号のポート構成情報の中の、少なくとも一つを含む。
【０１９８】
オプションとして、一実施例として、前記第２の伝送点のシステム構成情報は、前記第２の伝送点の基準信号構成情報を含み、前記処理モジュールは、具体的に、前記第２の伝送点の基準信号構成情報に基づいて、前記第２の伝送点の基準信号の構成を確定するし、前記第２の伝送点の基準信号の構成に基づいて、前記第２の伝送点のダウンリンクＲＲＭ測定を実行し、前記装置は、ＲＲＭ測定結果を生成するための第１の生成モジュールと、前記ＲＲＭ測定結果を前記第１の伝送点へ送信するための第１の送信モジュール、或いは、前記ＲＲＭ測定結果に基づいて、前記第２の伝送点が検出されたが否かを確定するための確定モジュールとをさらに含む。
【０１９９】
オプションとして、一実施例として、前記システム構成情報は、前記第２の伝送点の動作周波数ポイント情報を含み、前記処理モジュールは、具体的に、前記第２の伝送点の動作周波数ポイント情報に基づいて、前記第２の伝送点の動作周波数ポイントを確定し、前記動作周波数ポイントが位置する帯域幅内で、ダウンリンク信号検出を実行する。
【０２００】
オプションとして、一実施例として、前記第２の伝送点の信号のプレフィックス情報は、プレフィックスタイプ情報、及び／或いは、プレフィックス長さ情報を含む。
【０２０１】
オプションとして、一実施例として、前記処理モジュールは、具体的に、前記第２の伝送点の信号のプレフィックス情報に基づいて、前記第２の伝送点のダウンリンク信号のプレフィックスタイプ、及び／或いは、プレフィックス長さを確定し、前記第２の伝送点のダウンリンク信号検出を実行し、ここで、前記第２の伝送点のダウンリンク信号は、前記プレフィックスタイプ、及び／或いは、プレフィックス長さに対応されるプレフィックスが付加されているダウンリンク信号である。
【０２０２】
オプションとして、一実施例として、前記システム構成情報は、前記第２の伝送点のサブキャリア間隔情報を含み、前記処理モジュールは、具体的に、前記サブキャリア間隔情報に基づいて、前記第２の伝送点の目標帯域幅内のサブキャリア数量を確定し、前記目標帯域幅内のサブキャリア数量に基づいて、前記第２の伝送点のダウンリンク信号検出を実行する。
【０２０３】
オプションとして、一実施例として、前記第２の伝送点のサブフレーム構造構成情報は、前記サブフレーム中の直交周波数分割多重（ＯＦＤＭ）シンボルの数量、前記サブフレーム中の保護間隔ＧＰの数量、前記サブフレーム中の保護間隔ＧＰの位置、及び、前記サブフレーム中の互いに異なるタイプのＯＦＤＭシンボルの数量の中の、少なくとも一つを含む。
【０２０４】
オプションとして、一実施例として、前記システム構成情報は、前記第２の伝送点のサブフレーム構造構成情報を含み、前記処理モジュールは、前記第２の伝送点のサブフレーム構造構成情報に基づいて、前記第２の伝送点のサブフレーム構造を確定し、前記サブフレーム構造に基づいて、前記第２の伝送点のダウンリンク信号検出を実行する。
【０２０５】
オプションとして、一実施例として、前記システム構成情報は、前記第２の伝送点のシステム帯域幅情報を含み、前記処理モジュールは、前記第２の伝送点のシステム帯域幅情報に基づいて、前記第２の伝送点のシステム帯域幅を確定し、前記第２の伝送点のシステム帯域幅内で、前記第２の伝送点のダウンリンク信号検出を実行する。
【０２０６】
オプションとして、一実施例として、前記システム構成情報は、前記第２の伝送点のアップリンクとダウンリンクとのタイムスロット構成情報を含み、前記処理モジュールは、前記第２の伝送点のアップリンクとダウンリンクとのタイムスロット構成情報に基づいて、前記第２の伝送点における、前記ダウンリンク信号を伝送する時間−周波数リソース位置を、確定し、前記時間−周波数リソース位置上で、前記第２の伝送点のダウンリンク信号検出を実行する。
【０２０７】
オプションとして、一実施例として、前記システム構成情報は、前記第２の伝送点のアンテナ構成情報を含み、前記処理モジュールは、前記アンテナ構成情報に基づいて、前記第２の伝送点がダウンリンク信号を送信する際に利用したアンテナポートを確定し、前記アンテナポートに基づいて、前記第２の伝送点のダウンリンク信号検出を実行する。
【０２０８】
オプションとして、一実施例として、前記システム構成情報は、前記第２の伝送点の識別子を含み、前記処理モジュールは、前記第２の伝送点の識別子に基づいて、前記第２の伝送点のダウンリンク信号の伝送フォーマット、及び／或いは、シーケンスを確定し、前記ダウンリンク信号の伝送フォーマット、及び／或いは、シーケンスに基づいて、前記第２の伝送点のダウンリンク信号検出を実行する。
【０２０９】
オプションとして、一実施例として、前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアである。
【０２１０】
オプションとして、一実施例として、前記装置は、前記第２の伝送点のダウンリンク信号の測定結果或いは検出結果を生成するための第２の生成モジュールと、前記測定結果或いは検出結果を前記第１の伝送点へ送信するための第２の送信モジュールとをさらに含む。
【０２１１】
オプションとして、一実施例として、前記装置は、前記第２の伝送点のシステム構成情報に基づいて、アップリンク信号を前記第２の伝送点へ送信するための第３の送信モジュールをさらに含む。
【０２１２】
図６は、本発明のもう一実施例の信号検出装置の例示的なブロック図を示した。図６に示した信号検出装置６００は、取得モジュール６１０と送信モジュール６２０とを含む。
【０２１３】
取得モジュール６１０は、第２の伝送点のシステム構成情報を取得する。
【０２１４】
送信モジュール６２０、前記第２の伝送点のシステム構成情報を端末へ送信することによって、端末が前記第２の伝送点のシステム構成情報に基づいて前記第２の伝送点のダウンリンク信号検出を実行するようにする。
【０２１５】
本発明の実施例に係る端末は、第１の伝送点から第２の伝送点のシステム構成情報を取得することによって、端末による第２の伝送点の信号検出の複雑さを軽減することができる。
【０２１６】
オプションとして、一実施例として、前記システム構成情報は、前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含む。
【０２１７】
オプションとして、一実施例として、前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアである。
【０２１８】
オプションとして、一実施例として、前記装置は、前記端末が送信した前記第２の伝送点のダウンリンク信号の測定結果或いは検出結果を受信するための受信モジュールをさらに含む。
【０２１９】
図７は、本発明のもう一実施例の信号検出装置の例示的なブロック図を示した。図７に示した信号検出装置７００は、メモリ７１０、プロセッサ７２０、入出力インタフェース７３０、通信インタフェース７４０、および、バスシステム７５０を含む。その中、メモリ７１０、プロセッサ７２０、入出力インタフェース７３０、および、通信インタフェース７４０は、バスシステム７５０を介して、接続されている。当該メモリ７１０は、命令を記憶し、当該プロセッサ７２０は、当該メモリ７２０に記憶された命令を実行することによって、入出力インタフェース７３０が入力されるデータおよび情報を受信し、操作結果などのデータを出力するように制御し、また、通信インタフェース７４０が信号を送信するように制御する。
【０２２０】
通信インタフェース７４０は、第１の伝送点が送信した第２の伝送点のシステム構成情報を受信する。
【０２２１】
プロセッサ７２０は、前記第２の伝送点のシステム構成情報に基づいて、前記第２の伝送点のダウンリンク信号検出を実行する。
【０２２２】
本発明の実施例において、当該プロセッサ７２０は、汎用の中央プロセッサ（ＣＰＵ：Ｃｅｎｔｒａｌ  Ｐｒｏｃｅｓｓｉｎｇ  Ｕｎｉｔ）、マイクロプロセッサ、アプリケーション専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、或いは、一つ又は複数の集積回路を採用して、関連するプログラムを実行することによって、本発明の実施例によって提供される技術案を実現してもよいことを、理解すべきである。
【０２２３】
また、通信インタフェース７４０は、例えば、トランシーバのような送受信装置を使用して、信号検出装置７００と他の設備または通信ネットワークとの間の通信を実現してもよいが、これらに限定されないことを、理解すべきである。
【０２２４】
当該メモリ７１０は、読み取り専用メモリおよびランダムアクセスメモリを含んでもよく、プロセッサ７２０に対して命令およびデータを提供するために使用される。プロセッサ７２０の一部は、さらに、不揮発性ランダムアクセスメモリを含んでもよい。例えば、プロセッサ７２０は、さらに、設備タイプの情報を記憶してもよい。
【０２２５】
当該バスシステム７５０は、データバス意外に、さらに、電源バス、制御バス、および、状態信号バスなどを含んでもよい。しかし、明確に説明するために、図面ではさまざまなバスをいずれもバスシステム７５０として表記されている。
【０２２６】
実現過程において、上記方法の各ステップは、プロセッサ７２０におけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。該記憶媒質はメモリ７１０に位置し、プロセッサ７２０はメモリ７１０における命令を実行し、そのハードウェアと組み合わせて上記方法のステップを完成する。重複を避けるために、ここで省略する。
【０２２７】
本発明の実施例に係る端末は、第１の伝送点から第２の伝送点のシステム構成情報を取得することによって、端末による第２の伝送点の信号検出の複雑さを軽減することができる。
【０２２８】
オプションとして、一実施例として、前記システム構成情報は、前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含む。
【０２２９】
オプションとして、一実施例として、前記第１の伝送点に対する前記第２の伝送点の時間同期情報は、前記第２の伝送点と前記第１の伝送点とが同期されているか否かを示すための指示情報、及び／或いは、前記第１の伝送点に対する前記第２の伝送点の時間同期オフセット量を、含む。
【０２３０】
オプションとして、一実施例として、前記時間同期情報は、前記第２の伝送点と前記第１の伝送点とが同期されているか否かを示すための指示情報を含み、前記プロセッサは、具体的に、前記第２の伝送点と前記第１の伝送点とが同期されていると、前記第１の伝送点のダウンリンク定時に基づいて、前記第２の伝送点のダウンリンク信号検出を実行するか、或いは、前記第１の伝送点のダウンリンク定時に基づいて、前記第２の伝送点の同期信号の検出ウィンドウを確定することと、前記検出ウィンドウ内で、前記第２の伝送点の同期信号検出を実行して、前記第２の伝送点の同期参照を取得し、前記第２の伝送点の同期参照に基づいて、前記第２の伝送点のダウンリンク信号検出を実行する。
【０２３１】
オプションとして、一実施例として、前記時間同期情報は、前記第２の伝送点と前記第１の伝送点とが同期されているか否かを示すための指示情報を含み、前記処理モジュールは、また、具体的に、前記第２の伝送点と前記第１の伝送点とが同期されていないと、前記第２の伝送点の同期信号を検出して、前記第２の伝送点の同期参照を取得し、前記第２の伝送点の同期参照に基づいて、第２の伝送点のダウンリンク信号検出を実行する。
【０２３２】
オプションとして、一実施例として、前記第１の伝送点に対する前記第２の伝送点の時間同期オフセット量は、前記第１の伝送点に対する前記第２の伝送点の無線フレームオフセット量、前記第１の伝送点に対する前記第２の伝送点のサブフレームオフセット量、前記第１の伝送点に対する前記第２の伝送点の伝送時間間隔オフセット量、及び、前記第１の伝送点に対する前記第２の伝送点の伝送シンボルオフセット量の中の、少なくとも一つを含む。
【０２３３】
オプションとして、一実施例として、前記時間同期情報は、前記第１の伝送点に対する前記第２の伝送点の時間同期オフセット量を含み、前記プロセッサは、具体的に、前記時間同期オフセット量、及び、予め確定した前記第２の伝送点の同期信号の時間−周波数リソースに基づいて、前記第２の伝送点の同期信号の検出ウィンドウを確定し、前記検出ウィンドウ内で、第２の伝送点の同期信号検出を実行して、前記第２の伝送点の同期参照を取得し、前記第２の伝送点の同期参照に基づいて、前記第２の伝送点のダウンリンク信号検出を実行する。
【０２３４】
オプションとして、一実施例として、前記第２の伝送点の同期信号構成情報は、前記同期信号のリソース位置情報、及び／或いは、前記同期信号に付加されているシーケンス情報を含む。
【０２３５】
オプションとして、一実施例として、前記プロセッサは、具体的に、前記同期信号のリソース位置情報、及び／或いは、前記同期信号に付加されているシーケンス情報に基づいて、前記第２の伝送点の同期信号の時間−周波数リソース位置、及び／或いは、シーケンス情報を確定し、前記時間−周波数リソース位置、及び／或いは、シーケンス情報に基づいて、前記第２の伝送点の同期信号を検出して、前記第２の伝送点の同期参照を取得し、前記第２の伝送点の同期参照に基づいて、前記第２の伝送点のダウンリンク信号検出を実行する。
【０２３６】
オプションとして、一実施例として、前記第２の伝送点の基準信号構成情報は、前記基準信号の時間−周波数リソース構成情報、前記基準信号のシーケンス情報、前記基準信号の送信電力構成情報、及び、前記基準信号のポート構成情報の中の、少なくとも一つを含む。
【０２３７】
オプションとして、一実施例として、前記第２の伝送点のシステム構成情報は、前記第２の伝送点の基準信号構成情報を含み、前記プロセッサは、具体的に、前記第２の伝送点の基準信号構成情報に基づいて、前記第２の伝送点の基準信号の構成を確定し、前記第２の伝送点の基準信号の構成に基づいて、前記第２の伝送点のダウンリンクＲＲＭ測定を実行し、前記装置は、ＲＲＭ測定結果を生成するための第１の生成モジュールと、前記ＲＲＭ測定結果を前記第１の伝送点へ送信するための第１の送信モジュール、或いは、前記ＲＲＭ測定結果に基づいて、前記第２の伝送点が検出されたが否かを確定するための確定モジュールとをさらに含む。
【０２３８】
オプションとして、一実施例として、前記システム構成情報は、前記第２の伝送点の動作周波数ポイント情報を含み、前記プロセッサは、具体的に、前記第２の伝送点の動作周波数ポイント情報に基づいて、前記第２の伝送点の動作周波数ポイントを確定し、前記動作周波数ポイントが位置する帯域幅内で、ダウンリンク信号検出を実行する。
【０２３９】
オプションとして、一実施例として、前記第２の伝送点の信号のプレフィックス情報は、プレフィックスタイプ情報、及び／或いは、プレフィックス長さ情報を含む。
【０２４０】
オプションとして、一実施例として、前記プロセッサは、具体的に、前記第２の伝送点の信号のプレフィックス情報に基づいて、前記第２の伝送点のダウンリンク信号のプレフィックスタイプ、及び／或いは、プレフィックス長さを確定し、前記第２の伝送点のダウンリンク信号検出を実行し、ここで、前記第２の伝送点のダウンリンク信号は、前記プレフィックスタイプ、及び／或いは、プレフィックス長さに対応されるプレフィックスが付加されているダウンリンク信号である。
【０２４１】
オプションとして、一実施例として、前記システム構成情報は、前記第２の伝送点のサブキャリア間隔情報を含み、前記プロセッサは、具体的に、前記サブキャリア間隔情報に基づいて、前記第２の伝送点の目標帯域幅内のサブキャリア数量を確定し、前記目標帯域幅内のサブキャリア数量に基づいて、前記第２の伝送点のダウンリンク信号検出を実行する。
【０２４２】
オプションとして、一実施例として、前記第２の伝送点のサブフレーム構造構成情報は、前記サブフレーム中の直交周波数分割多重（ＯＦＤＭ）シンボルの数量、前記サブフレーム中の保護間隔ＧＰの数量、前記サブフレーム中の保護間隔ＧＰの位置、及び、前記サブフレーム中の互いに異なるタイプのＯＦＤＭシンボルの数量の中の、少なくとも一つを含む。
【０２４３】
オプションとして、一実施例として、前記システム構成情報は、前記第２の伝送点のサブフレーム構造構成情報を含み、前記プロセッサは、前記第２の伝送点のサブフレーム構造構成情報に基づいて、前記第２の伝送点のサブフレーム構造を確定し、前記サブフレーム構造に基づいて、前記第２の伝送点のダウンリンク信号検出を実行する。
【０２４４】
オプションとして、一実施例として、前記システム構成情報は、前記第２の伝送点のシステム帯域幅情報を含み、前記プロセッサは、前記第２の伝送点のシステム帯域幅情報に基づいて、前記第２の伝送点のシステム帯域幅を確定し、前記第２の伝送点のシステム帯域幅内で、前記第２の伝送点のダウンリンク信号検出を実行する。
【０２４５】
オプションとして、一実施例として、前記システム構成情報は、前記第２の伝送点のアップリンクとダウンリンクとのタイムスロット構成情報を含み、前記プロセッサは、前記第２の伝送点のアップリンクとダウンリンクとのタイムスロット構成情報に基づいて、前記第２の伝送点における、前記ダウンリンク信号を伝送する時間−周波数リソース位置を、確定し、前記時間−周波数リソース位置上で、前記第２の伝送点のダウンリンク信号検出を実行する。
【０２４６】
オプションとして、一実施例として、前記システム構成情報は、前記第２の伝送点のアンテナ構成情報を含み、前記プロセッサは、前記アンテナ構成情報に基づいて、前記第２の伝送点がダウンリンク信号を送信する際に利用したアンテナポートを確定し、前記アンテナポートに基づいて、前記第２の伝送点のダウンリンク信号検出を実行する。
【０２４７】
オプションとして、一実施例として、前記システム構成情報は、前記第２の伝送点の識別子を含み、前記プロセッサは、前記第２の伝送点の識別子に基づいて、前記第２の伝送点のダウンリンク信号の伝送フォーマット、及び／或いは、シーケンスを確定し、前記ダウンリンク信号の伝送フォーマット、及び／或いは、シーケンスに基づいて、前記第２の伝送点のダウンリンク信号検出を実行する。
【０２４８】
オプションとして、一実施例として、前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアである。
【０２４９】
オプションとして、一実施例として、前記プロセッサは、前記第２の伝送点のダウンリンク信号の測定結果或いは検出結果を生成し、前記通信インタフェースは、前記測定結果或いは検出結果を前記第１の伝送点へ送信する。
【０２５０】
オプションとして、一実施例として、前記通信インタフェースは、さらに、前記第２の伝送点のシステム構成情報に基づいて、アップリンク信号を前記第２の伝送点へ送信する。
【０２５１】
図８は、本発明のもう一実施例の信号検出装置の例示的なブロック図を示した。図８に示した信号検出装置８００は、第１の伝送点であってもよく、当該装置８００は、メモリ８１０、プロセッサ８２０、入出力インタフェース８３０、通信インタフェース８４０、および、バスシステム８５０を含む。その中、メモリ８１０、プロセッサ８２０、入出力インタフェース８３０、および、通信インタフェース８４０は、バスシステム８５０を介して、接続されている。当該メモリ８１０は、命令を記憶し、当該プロセッサ８２０は、当該メモリ８２０に記憶された命令を実行することによって、入出力インタフェース８３０が入力されるデータおよび情報を受信し、操作結果などのデータを出力するように制御し、また、通信インタフェース８４０が信号を送信するように制御する。
【０２５２】
プロセッサ８２０は、第２の伝送点のシステム構成情報を取得する。
【０２５３】
通信インタフェース８４０は、前記第２の伝送点のシステム構成情報を端末へ送信することによって、端末が前記第２の伝送点のシステム構成情報に基づいて前記第２の伝送点のダウンリンク信号検出を実行するようにする。
【０２５４】
本発明の実施例において、当該プロセッサ７２０は、汎用の中央プロセッサ（ＣＰＵ：Ｃｅｎｔｒａｌ  Ｐｒｏｃｅｓｓｉｎｇ  Ｕｎｉｔ）、マイクロプロセッサ、アプリケーション専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、或いは、一つ又は複数の集積回路を採用して、関連するプログラムを実行することによって、本発明の実施例によって提供される技術案を実現してもよいことを、理解すべきである。
【０２５５】
また、通信インタフェース８４０は、例えば、トランシーバのような送受信装置を使用して、信号検出装置８００と他の設備または通信ネットワークとの間の通信を実現してもよいが、これらに限定されないことを、理解すべきである。
【０２５６】
当該メモリ８１０は、読み取り専用メモリおよびランダムアクセスメモリを含んでもよく、プロセッサ８２０に対して命令およびデータを提供するために使用される。プロセッサ８２０の一部は、さらに、不揮発性ランダムアクセスメモリを含んでもよい。例えば、プロセッサ８２０は、さらに、設備タイプの情報を記憶してもよい。
【０２５７】
当該バスシステム８５０は、データバス意外に、さらに、電源バス、制御バス、および、状態信号バスなどを含んでもよい。しかし、明確に説明するために、図面ではさまざまなバスをいずれもバスシステム８５０として表記されている。
【０２５８】
実現過程において、上記方法の各ステップは、プロセッサ８２０におけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。該記憶媒質はメモリ８１０に位置し、プロセッサ８２０はメモリ８１０における命令を実行し、そのハードウェアと組み合わせて上記方法のステップを完成する。重複を避けるために、ここで省略する。
【０２５９】
本発明の実施例に係る端末は、第１の伝送点から第２の伝送点のシステム構成情報を取得することによって、端末による第２の伝送点の信号検出の複雑さを軽減することができる。
【０２６０】
オプションとして、一実施例として、前記システム構成情報は、前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含む。
【０２６１】
オプションとして、一実施例として、前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアである。
【０２６２】
オプションとして、一実施例として、前記通信インタフェースは、前記端末が送信した前記第２の伝送点のダウンリンク信号の測定結果或いは検出結果を受信する。
【０２６３】
本発明の実施例において、「Ａに対応されるＢ」は、ＢがＡと関連されることを示し、Ａに基づいてＢを確定できることを、理解すべきである。しかし、Ａに基づいてＢを確定できることは、Ａのみに基づいてＢを確定できることを意味することでなく、また、Ａ及び／或いはその他の情報に基づいてＢを確定できることを、理解すべきである。
【０２６４】
なお、本願における用語である「及び／或いは」は、単なる関連対象の対応関係を説明しているだけであり、３つの関係が表されることができる。例えば、Ａ及び／又はＢは、Ａのみが存在する場合と、Ａ及びＢの両方とも存在する場合と、Ｂのみが存在する場合とを表すことができる。さらに、本願における文字“／”は、概して前後関連対象間の「又は」という関係を表している。
【０２６５】
本発明の各実施例において、上記の各過程の番号は実施の前後順序と意味せず、各過程の実施順序は、その機能と自身のロジックによって確定されるべきであり、本発明の実施例の実施過程を制限するものになるわけではないことを、理解すべきである。
【０２６６】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２６７】
当業者は、説明の便利と簡潔上、上記に記載されているシステム、装置及びユニットの具体的な動作については、上記の方法実施例の対応されているフローを参照することができ、ここでそれ以上述べない。
【０２６８】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２６９】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２７０】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２７１】
上記の集成されたユニットは、ソフトウェア機能モジュールの方式で実現し、しかも独立な製品として販売又は使用する時に、コンピュータ読み取り可能の媒体に記憶しても良い。これによって、本発明の実施例の技術案は、事実上、言い換えれば先行技術に貢献した部分として、ソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２７２】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019523590.tif 000003
【図２】
2019523590.tif 000004
【図３】
2019523590.tif 000005
【図４】
2019523590.tif 000006
【図５】
2019523590.tif 000007
【図６】
2019523590.tif 000008
【図７】
2019523590.tif 000009
【図８】
2019523590.tif 000010
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
信号検出方法であって、
端末が、第１の伝送点（Ｔｒａｎｓｍｉｓｓｉｏｎ  ｐｏｉｎｔ）が送信した第２の伝送点のシステム構成情報を受信することと、
前記端末が、前記第２の伝送点のシステム構成情報に基づいて、前記第２の伝送点のダウンリンク信号検出を実行することとを
含む、前記信号検出方法。
【請求項２】
前記システム構成情報は、
前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含むことを特徴とする
請求項１に記載の方法。
【請求項３】
前記第１の伝送点に対する前記第２の伝送点の時間同期情報は、前記第２の伝送点と前記第１の伝送点とが同期されているか否かを示すための指示情報、及び／或いは、前記第１の伝送点に対する前記第２の伝送点の時間同期オフセット量を、含むことを特徴とする
請求項２に記載の方法。
【請求項４】
前記時間同期情報は、前記第２の伝送点と前記第１の伝送点とが同期されているか否かを示すための指示情報を含み、
前記端末が、前記第２の伝送点のシステム構成情報に基づいて、前記第２の伝送点のダウンリンク信号検出を実行することは、
前記第２の伝送点と前記第１の伝送点とが同期されていると、前記端末が、前記第１の伝送点のダウンリンク定時に基づいて、前記第２の伝送点のダウンリンク信号検出を実行することを含むか、
或いは、
前記端末が、前記第１の伝送点のダウンリンク定時に基づいて、前記第２の伝送点の同期信号の検出ウィンドウを確定することと、前記端末が、前記検出ウィンドウ内で、前記第２の伝送点の同期信号検出を実行して、前記第２の伝送点の同期参照を取得することと、前記端末が、前記第２の伝送点の同期参照に基づいて、前記第２の伝送点のダウンリンク信号検出を実行することとを含むことを特徴とする
請求項３に記載の方法。
【請求項５】
前記時間同期情報は、前記第２の伝送点と前記第１の伝送点とが同期されているか否かを示すための指示情報を含み、
前記端末が、前記第２の伝送点のシステム構成情報に基づいて、前記第２の伝送点のダウンリンク信号検出を実行することは、
前記第２の伝送点と前記第１の伝送点とが同期されていないと、前記端末が、前記第２の伝送点の同期信号を検出して、前記第２の伝送点の同期参照を取得することと、
前記端末が、前記第２の伝送点の同期参照に基づいて、第２の伝送点のダウンリンク信号検出を実行することとを含むことを特徴とする
請求項３又は４に記載の方法。
【請求項６】
前記第２の伝送点の同期信号構成情報は、前記同期信号のリソース位置情報、及び／或いは、前記同期信号に付加されているシーケンス情報を含むことを特徴とする
請求項２に記載の方法。
【請求項７】
前記端末が、前記第２の伝送点のシステム構成情報に基づいて、前記第２の伝送点のダウンリンク信号検出を実行することは、
前記端末が、前記同期信号のリソース位置情報、及び／或いは、前記同期信号に付加されているシーケンス情報に基づいて、前記第２の伝送点の同期信号の時間−周波数リソース位置、及び／或いは、シーケンス情報を確定することと、
前記端末が、前記時間−周波数リソース位置、及び／或いは、シーケンス情報に基づいて、前記第２の伝送点の同期信号を検出して、前記第２の伝送点の同期参照を取得することと、
前記端末が、前記第２の伝送点の同期参照に基づいて、前記第２の伝送点のダウンリンク信号検出を実行することとを含むことを特徴とする
請求項６に記載の方法。
【請求項８】
前記第２の伝送点の基準信号構成情報は、
前記基準信号の時間−周波数リソース構成情報、前記基準信号のシーケンス情報、前記基準信号の送信電力構成情報、及び、前記基準信号のポート構成情報の中の、少なくとも一つを含むことを特徴とする
請求項２に記載の方法。
【請求項９】
前記第２の伝送点のシステム構成情報は、前記第２の伝送点の基準信号構成情報を含み、
前記端末が、前記第２の伝送点のシステム構成情報に基づいて、前記第２の伝送点のダウンリンク信号検出を実行することは、
前記端末が、前記第２の伝送点の基準信号構成情報に基づいて、前記第２の伝送点の基準信号の構成を確定することと、
前記端末が、前記第２の伝送点の基準信号の構成に基づいて、前記第２の伝送点のダウンリンク無線リソース管理（ＲＲＭ）測定を実行することとを含む、
請求項２又は８に記載の方法。
【請求項１０】
前記システム構成情報は、前記第２の伝送点のサブキャリア間隔情報を含み、
前記端末が、前記第２の伝送点のシステム構成情報に基づいて、前記第２の伝送点のダウンリンク信号検出を実行することは、
前記端末が、前記サブキャリア間隔情報に基づいて、前記第２の伝送点の目標帯域幅内のサブキャリア数量を確定することと、
前記端末が、前記目標帯域幅内のサブキャリア数量に基づいて、前記第２の伝送点のダウンリンク信号検出を実行することとを含むことを特徴とする
請求項２に記載の方法。
【請求項１１】
前記第２の伝送点のサブフレーム構造構成情報は、前記サブフレーム中の直交周波数分割多重（ＯＦＤＭ）シンボルの数量、前記サブフレーム中の保護間隔ＧＰの数量、前記サブフレーム中のＧＰの位置、及び、前記サブフレーム中の各タイプのＯＦＤＭシンボルの数量の中の、少なくとも一つを含むことを特徴とする
請求項２に記載の方法。
【請求項１２】
前記システム構成情報は、前記第２の伝送点のサブフレーム構造構成情報を含み、
前記端末が、前記第２の伝送点のシステム構成情報に基づいて、前記第２の伝送点のダウンリンク信号検出を実行することは、
前記端末が、前記第２の伝送点のサブフレーム構造構成情報に基づいて、前記第２の伝送点のサブフレーム構造を確定することと、
前記端末が、前記サブフレーム構造に基づいて、前記第２の伝送点のダウンリンク信号検出を実行することとを含むことを特徴とする
請求項２又は１１に記載の方法。
【請求項１３】
前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアであることを特徴とする
請求項１〜１２のいずれか１項に記載の方法。
【請求項１４】
信号検出方法であって、
第１の伝送点（Ｔｒａｎｓｍｉｓｓｉｏｎ  ｐｏｉｎｔ）が第２の伝送点のシステム構成情報を端末に送信することによって、端末が前記第２の伝送点のシステム構成情報に基づいて前記第２の伝送点のダウンリンク信号検出を実行するようにすることを含み、
前記システム構成情報は、
前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含む、
前記信号検出方法。
【請求項１５】
信号検出装置であって、
メモリと
前記装置が請求項１−１３のいずれか１項に記載の方法を実行するように、前記メモリに記憶される命令を実行するように構成されるプロセッサと、を含む、
前記信号検出装置。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
信号検出方法であって、
端末が、第１の伝送点（Ｔｒａｎｓｍｉｓｓｉｏｎ  ｐｏｉｎｔ）が送信した第２の伝送点のシステム構成情報を受信することと、
前記端末が、前記第２の伝送点のシステム構成情報に基づいて、前記第２の伝送点のダウンリンク信号検出を実行することとを
含む、前記信号検出方法。
【請求項２】
前記システム構成情報は、
前記第２の伝送点の動作周波数ポイント情報、前記第２の伝送点のシステム帯域幅情報、前記第１の伝送点に対する前記第２の伝送点の時間同期情報、前記第２の伝送点のサブキャリア間隔情報、前記第２の伝送点の信号のプレフィックス情報、前記第２の伝送点のサブフレーム構造構成情報、前記第２の伝送点のアップリンクとダウンリンクとのタイムスロット構成情報、前記第２の伝送点の同期信号構成情報、前記第２の伝送点の基準信号構成情報、前記第２の伝送点の識別情報、及び、前記第２の伝送点のアンテナ構成情報の中の、少なくとも一つを含むことを特徴とする
請求項１に記載の方法。
【請求項３】
前記第２の伝送点の同期信号構成情報は、前記同期信号のリソース位置情報、及び／或いは、前記同期信号に付加されているシーケンス情報を含むことを特徴とする
請求項２に記載の方法。
【請求項４】
前記端末が、前記第２の伝送点のシステム構成情報に基づいて、前記第２の伝送点のダウンリンク信号検出を実行することは、
前記端末が、前記同期信号のリソース位置情報、及び／或いは、前記同期信号に付加されているシーケンス情報に基づいて、前記第２の伝送点の同期信号の時間−周波数リソース位置、及び／或いは、シーケンス情報を確定することと、
前記端末が、前記時間−周波数リソース位置、及び／或いは、シーケンス情報に基づいて、前記第２の伝送点の同期信号を検出して、前記第２の伝送点の同期参照を取得することと、
前記端末が、前記第２の伝送点の同期参照に基づいて、前記第２の伝送点のダウンリンク信号検出を実行することとを含むことを特徴とする
請求項３に記載の方法。
【請求項５】
前記第２の伝送点の基準信号構成情報は、
前記基準信号の時間−周波数リソース構成情報、前記基準信号のシーケンス情報、前記基準信号の送信電力構成情報、及び、前記基準信号のポート構成情報の中の、少なくとも一つを含むことを特徴とする
請求項２に記載の方法。
【請求項６】
前記第２の伝送点のシステム構成情報は、前記第２の伝送点の基準信号構成情報を含み、
前記端末が、前記第２の伝送点のシステム構成情報に基づいて、前記第２の伝送点のダウンリンク信号検出を実行することは、
前記端末が、前記第２の伝送点の基準信号構成情報に基づいて、前記第２の伝送点の基準信号の構成を確定することと、
前記端末が、前記第２の伝送点の基準信号の構成に基づいて、前記第２の伝送点のダウンリンク無線リソース管理（ＲＲＭ）測定を実行することとを含み、
前記方法は、
前記端末がＲＲＭ測定結果を生成することと、
前記端末が、前記ＲＲＭ測定結果を、前記第１の伝送点へ送信すること、或いは、前記端末が、前記ＲＲＭ測定結果に基づいて、前記第２の伝送点が検出されたが否かを確定することとをさらに含むことを特徴とする
請求項２又は５に記載の方法。
【請求項７】
前記システム構成情報は、前記第２の伝送点の動作周波数ポイント情報を含み、
前記端末が、前記第２の伝送点のシステム構成情報に基づいて、前記第２の伝送点のダウンリンク信号検出を実行することは、
前記端末が、前記第２の伝送点の動作周波数ポイント情報に基づいて、前記第２の伝送点の動作周波数ポイントを確定することと、
前記端末が、前記動作周波数ポイントが位置する帯域幅内で、ダウンリンク信号検出を実行することとを含むことを特徴とする
請求項２に記載の方法。
【請求項８】
前記第２の伝送点の信号のプレフィックス情報は、プレフィックスタイプ情報、及び／或いは、プレフィックス長さ情報を含むことを特徴とする。
請求項２に記載の方法。
【請求項９】
前記端末が、前記第２の伝送点のシステム構成情報に基づいて、前記第２の伝送点のダウンリンク信号検出を実行することは、
前記端末が、前記第２の伝送点の信号のプレフィックス情報に基づいて、前記第２の伝送点のダウンリンク信号のプレフィックスタイプ、及び／或いは、プレフィックス長さを確定することと、
前記端末が、前記第２の伝送点のダウンリンク信号検出を実行することとを含み、
ここで、前記第２の伝送点のダウンリンク信号は、前記プレフィックスタイプ、及び／或いは、プレフィックス長さに対応されるプレフィックスが付加されているダウンリンク信号であることを特徴とする
請求項８に記載の方法。
【請求項１０】
前記システム構成情報は、前記第２の伝送点のサブキャリア間隔情報を含み、
前記端末が、前記第２の伝送点のシステム構成情報に基づいて、前記第２の伝送点のダウンリンク信号検出を実行することは、
前記端末が、前記サブキャリア間隔情報に基づいて、前記第２の伝送点の目標帯域幅内のサブキャリア数量を確定することと、
前記端末が、前記目標帯域幅内のサブキャリア数量に基づいて、前記第２の伝送点のダウンリンク信号検出を実行することとを含むことを特徴とする
請求項２に記載の方法。
【請求項１１】
前記第２の伝送点のサブフレーム構造構成情報は、前記サブフレーム中の直交周波数分割多重（ＯＦＤＭ）シンボルの数量、前記サブフレーム中の保護間隔ＧＰの数量、前記サブフレーム中のＧＰの位置、及び、前記サブフレーム中の各タイプのＯＦＤＭシンボルの数量の中の、少なくとも一つを含むことを特徴とする
請求項２に記載の方法。
【請求項１２】
前記システム構成情報は、前記第２の伝送点のサブフレーム構造構成情報を含み、
前記端末が、前記第２の伝送点のシステム構成情報に基づいて、前記第２の伝送点のダウンリンク信号検出を実行することは、
前記端末が、前記第２の伝送点のサブフレーム構造構成情報に基づいて、前記第２の伝送点のサブフレーム構造を確定することと、
前記端末が、前記サブフレーム構造に基づいて、前記第２の伝送点のダウンリンク信号検出を実行することとを含むことを特徴とする
請求項２又は１１に記載の方法。
【請求項１３】
前記システム構成情報は、前記第２の伝送点のシステム帯域幅情報を含み、
前記端末が、前記第２の伝送点のシステム構成情報に基づいて、前記第２の伝送点のダウンリンク信号検出を実行することは、
前記端末が、前記第２の伝送点のシステム帯域幅情報に基づいて、前記第２の伝送点のシステム帯域幅を確定することと、
前記端末が、前記第２の伝送点のシステム帯域幅内で、前記第２の伝送点のダウンリンク信号検出を実行することとを含むことを特徴とする
請求項２に記載の方法。
【請求項１４】
前記システム構成情報は、前記第２の伝送点のアップリンクとダウンリンクとのタイムスロット構成情報を含み、
前記端末が、前記第２の伝送点のシステム構成情報に基づいて、前記第２の伝送点のダウンリンク信号検出を実行することは、
前記端末が、前記第２の伝送点のアップリンクとダウンリンクとのタイムスロット構成情報に基づいて、前記第２の伝送点における、前記ダウンリンク信号を伝送する時間−周波数リソース位置を、確定することと、
前記端末が、前記時間−周波数リソース位置上で、前記第２の伝送点のダウンリンク信号検出を実行することとを含むことを特徴とする
請求項２に記載の方法。
【請求項１５】
前記第１の伝送点は、長期エボリューション（ＬＴＥ）データ伝送のためのキャリアであり、前記第２の伝送点は、５Ｇ新たなエアインタフェース（ＮＲ）データ伝送のためのキャリアであることを特徴とする
請求項１〜１４のいずれか１項に記載の方法。
【請求項１６】
前記端末が、前記第２の伝送点のダウンリンク信号の測定結果或いは検出結果を生成することと、
前記端末が、前記測定結果或いは検出結果を、前記第１の伝送点へ送信することとをさらに含むことを特徴とする
請求項１〜１５のいずれか１項に記載の方法。
【請求項１７】
前記端末が、前記第２の伝送点のシステム構成情報に基づいて、アップリンク信号を、前記第２の伝送点へ送信することをさらに含むことを特徴とする
請求項１〜１６のいずれか１項に記載の方法。
【請求項１８】
信号検出装置であって、
メモリと
前記装置が請求項１−１７のいずれか１項に記載の方法を実行するように、前記メモリに記憶される命令を実行するように構成されるプロセッサと、を含む、
前記信号検出装置。
【国際調査報告】
2019523590.tif 000011
2019523590.tif 000012
2019523590.tif 000013
2019523590.tif 000014